(57)【要約】      （修正有）【課題】小型で且つ軽量でありながら、広角化及び大口径化を両立させることができる結像光学系を提供する。【解決手段】結像光学系１は、物体側から像面側に向かう方向に順に、負の屈折力を有する第１レンズＬ１と、正の屈折力を有し、物体側が凹面であるメニスカス形状の第２レンズＬ２と、正の屈折力を有し、両面が凸面である第３レンズＬ３と、負の屈折力を有し、像面側が凹面である第４レンズＬ４と、正の屈折力を有し、両面が凸面である第５レンズＬ５とを備え、第４レンズは、像面側の面が非球面形状であり、前記非球面は負の屈折力が、光軸から周辺に向かって次第に弱くなる部分を有している。【選択図】図１
2020154045.tif 000002
【特許請求の範囲】
【請求項１】
物体側から像面側に向かう方向に順に配置されるもので、
負の屈折力を有する第１レンズ（Ｌ１）と、
正の屈折力を有し、物体側が凹面であるメニスカス形状の第２レンズ（Ｌ２）と、
正の屈折力を有し、両面が凸面である第３レンズ（Ｌ３）と、
負の屈折力を有し、像面側が凹面である第４レンズ（Ｌ４）と、
正の屈折力を有し、両面が凸面である第５レンズ（Ｌ５）とを備え、
前記第４レンズは、像面側の面が非球面形状であり、前記非球面は負の屈折力が、光軸から周辺に向かって次第に弱くなる部分を有している結像光学系。
【請求項２】
前記第２レンズと前記第３レンズとの間に絞り（Ｓ）が配置されている請求項１記載の結像光学系。
【請求項３】
前記第４レンズの像面側の面の屈折力の変化に、変曲点を有している請求項１又は２記載の結像光学系。
【請求項４】
前記第４レンズは、物体側の面が非球面形状であり、前記非球面は負の屈折力が、光軸近傍から周辺に向かって次第に強くなる部分を有している請求項１から３の何れか一項に記載の結像光学系。
【請求項５】
前記第４レンズにおける物体側の面の屈折力の変化に、変曲点を有している請求項４記載の結像光学系。
【請求項６】
前記第１レンズは、像面側の面が非球面形状であり、前記非球面は負の屈折力が、光軸近傍から周辺に向かって次第に弱くなる部分を有している請求項１から５の何れか一項に記載の結像光学系。
【請求項７】
前記第１レンズは、ｆを光学系全体の焦点距離，ｆ１を第１レンズの焦点距離とすると、以下の条件式
１．３＜｜ｆ１｜／ｆ＜３．１
を満たす請求項１から６の何れか一項に記載の結像光学系。
【請求項８】
前記第１レンズは、以下の条件式
１．５＜｜ｆ１｜／ｆ＜２．０
を満たす請求項７記載の結像光学系。
【請求項９】
前記第２レンズは、ｆを光学系全体の焦点距離，ｆ２を第２レンズの焦点距離とすると、以下の条件式
２．９＜｜ｆ２｜／ｆ
を満たす請求項１から８の何れか一項に記載の結像光学系。
【請求項１０】
前記第２レンズは、以下の条件式
３．７＜｜ｆ２｜／ｆ＜５．０
を満たす請求項９記載の結像光学系。
【請求項１１】
前記第４レンズは、ｆを光学系全体の焦点距離，ｆ４を第４レンズの焦点距離とすると、以下の条件式
１．０＜｜ｆ４｜／ｆ＜２．１
を満たす請求項１から１０の何れか一項に記載の結像光学系。
【請求項１２】
前記第４レンズは、以下の条件式
１．２＜｜ｆ４｜／ｆ＜１．５
を満たす請求項１１記載の結像光学系。
【請求項１３】
前記第１レンズは、物体側が凸面のメニスカス形状である請求項１から１２の何れか一項に記載の結像光学系。
【請求項１４】
前記第４レンズは、物体側が凹面である請求項１から１３の何れか一項に記載の結像光学系。
【請求項１５】
前記第２レンズは、少なくとも一方の面が非球面形状である請求項１から１４の何れか一項に記載の結像光学系。
【請求項１６】
前記第３レンズは、少なくとも一方の面が非球面形状である請求項１から１５の何れか一項に記載の結像光学系。
【請求項１７】
前記第３レンズの２０℃環境下のｄ線における相対屈折率温度係数（ｄｎ／ｄＴ）3が、
｜（ｄｎ／ｄＴ）3｜＜１０×１０-6／℃
である請求項１から１６の何れか一項に記載の結像光学系。
【請求項１８】
前記相対屈折率温度係数（ｄｎ／ｄＴ）3が、
｜（ｄｎ／ｄＴ）3｜＜６×１０-6／℃
である請求項１７記載の結像光学系。
【請求項１９】
前記第５レンズの２０℃環境下のｄ線における相対屈折率温度係数（ｄｎ／ｄＴ）5が、
｜（ｄｎ／ｄＴ）5｜＜１０×１０-6／℃
である請求項１から１６の何れか一項に記載の結像光学系。
【請求項２０】
前記相対屈折率温度係数（ｄｎ／ｄＴ）5が、
｜（ｄｎ／ｄＴ）5｜＜６×１０-6／℃
である請求項１９記載の結像光学系。
【発明の詳細な説明】
【技術分野】
【０００１】
本発明は、レトロフォーカスタイプの結像光学系に関する。
【背景技術】
【０００２】
レトロフォーカスタイプの結像光学系は、物体側から順に、負の屈折力を有する前群と、正の屈折力を有する後群とからなり、バックフォーカスが長く、広角化に有利であることが知られている。そして、このような光学系については、要求される各収差の補正やＦ値，画角の広さや全体の大きさ等の要素を考慮して、従来様々なレンズの組み合わせが提案されている。例えば、特許文献１，２では、５枚のレンズを組み合わせた光学系が提案されている。
【先行技術文献】
【特許文献】
【０００３】
【特許文献１】特開２００９−１４５８３９号公報
【特許文献２】特開２００９−１３４１７５号公報
【発明の概要】
【発明が解決しようとする課題】
【０００４】
しかしながら、特許文献１の構成では第４レンズが球面であり、特許文献２の構成では第４レンズの像面側が凸面であるため、何れも広角化によって増大する非点収差を補正することが困難になるという問題がある。
【０００５】
本発明は上記事情に鑑みてなされたものであり、その目的は、小型で且つ軽量でありながら、広角化及び大口径化を両立させることができる結像光学系を提供することにある。
【課題を解決するための手段】
【０００６】
請求項１記載の結像光学系は、物体側から像面側に向かう方向に順に配置される、負の屈折力を有する第１レンズ，正の屈折力を有し物体側が凹面であるメニスカス形状の第２レンズ，正の屈折力を有し両面が凸面である第３レンズ，負の屈折力を有し像面側が凹面である第４レンズ及び正の屈折力を有し両面が凸面である第５レンズを備える。そして、第４レンズは、像面側の面が非球面形状であり、前記非球面は負の屈折力が、光軸から周辺に向かって次第に弱くなる部分を有している。
【０００７】
レトロフォーカスタイプにおいて１２０度以上の広角化を達成するには、主点の位置を像側に移動させて、全体の焦点距離を短くする必要がある。そのためには、前群の負の屈折力を強める必要がある。そこで、負の屈折力を有する第１レンズと正の屈折力を有する第２レンズとを組み合わせて前者の負の屈折力を強めることで、負の屈折力を主に第１レンズに負担させる。加えて、第２レンズの物体側を凹面にすることで負の屈折力を補う。これらにより、前群を構成するレンズの枚数を抑制できる。また、第２レンズを、正の屈折力を有するメニスカス形状とすることで、大口径化に伴い増大する球面収差及び広角化に伴い増大する非点収差を効果的に補正できる。
【０００８】
後群については、レンズ枚数を増やせば要求される光学性能を満たすことが容易になるが、小型軽量化を図るにはレンズ枚数を少なくするのが望ましい。そこで、本開示では、後群を第３〜第５レンズで構成する。また、後群には強い正の屈折力を付与する必要があるので、第３，第５レンズに正の屈折力を付与し、第４レンズに負の屈折力を付与する。このように構成することで、レンズ１枚当たりに付与する屈折力を抑えつつ、球面収差や
色収差等の収差を効果的に補正できる。
【０００９】
加えて、第４レンズの像面側を凹面とし、且つ負の屈折力が、光軸から周辺に向かって次第に弱くなる部分を有している非球面にすることで、広角化を図る際に増大する非点収差を容易に補正できる。また、第３レンズに正の屈折力を付与することで、第４レンズに入射する光束を画角毎に分離できるため、第４レンズの非球面による補正効果を向上させることができる。更に、第３，第５レンズの両面を凸面にすることで、それぞれのレンズに発生する球面収差が物体側と像面側とに分配されるので、全体としての収差の発生量を抑えることができる。また、第５レンズの像面側を凸面にすることで、歪曲収差を効果的に補正できる。これらにより、結像光学系の広角化を図ると共に大口径化も図ることが可能になり、各収差も低減できる。
尚、特許文献２の第４レンズも像面側が凹面であるが、第２レンズの屈折力が負であることが前提となっているので、本願発明とは相違している。
【図面の簡単な説明】
【００１０】
【図１】第１実施形態であり、結像光学系の構成を示す図
【図２】結像光学系の球面収差を示す図
【図３】結像光学系の非点収差を示す図
【図４】結像光学系の歪曲収差を示す図
【図５】結像光学系の色収差を示す図
【図６】第８面の光軸中心から周辺にかけての曲率変化を示す図
【図７】第９面の光軸中心から周辺にかけての曲率変化を示す図
【図８】第２面の光軸中心から周辺にかけての曲率変化を示す図
【図９】第２実施形態であり、結像光学系の構成を示す図
【図１０】結像光学系の球面収差を示す図
【図１１】結像光学系の非点収差を示す図
【図１２】結像光学系の歪曲収差を示す図
【図１３】結像光学系の色収差を示す図
【図１４】第８面の光軸中心から周辺にかけての曲率変化を示す図
【図１５】第９面の光軸中心から周辺にかけての曲率変化を示す図
【図１６】第２面の光軸中心から周辺にかけての曲率変化を示す図
【図１７】第３実施形態であり、結像光学系の構成を示す図
【図１８】結像光学系の球面収差を示す図
【図１９】結像光学系の非点収差を示す図
【図２０】結像光学系の歪曲収差を示す図
【図２１】結像光学系の色収差を示す図
【図２２】第８面の光軸中心から周辺にかけての曲率変化を示す図
【図２３】第９面の光軸中心から周辺にかけての曲率変化を示す図
【図２４】第２面の光軸中心から周辺にかけての曲率変化を示す図
【図２５】第４実施形態であり、結像光学系の構成を示す図
【図２６】結像光学系の球面収差を示す図
【図２７】結像光学系の非点収差を示す図
【図２８】結像光学系の歪曲収差を示す図
【図２９】結像光学系の色収差を示す図
【図３０】第８面の光軸中心から周辺にかけての曲率変化を示す図
【図３１】第９面の光軸中心から周辺にかけての曲率変化を示す図
【図３２】第２面の光軸中心から周辺にかけての曲率変化を示す図
【図３３】第５実施形態であり、結像光学系の構成を示す図
【図３４】結像光学系の球面収差を示す図
【図３５】結像光学系の非点収差を示す図
【図３６】結像光学系の歪曲収差を示す図
【図３７】結像光学系の色収差を示す図
【図３８】第８面の光軸中心から周辺にかけての曲率変化を示す図
【図３９】第９面の光軸中心から周辺にかけての曲率変化を示す図
【図４０】第２面の光軸中心から周辺にかけての曲率変化を示す図
【図４１】第６実施形態であり、結像光学系の構成を示す図
【図４２】結像光学系の球面収差を示す図
【図４３】結像光学系の非点収差を示す図
【図４４】結像光学系の歪曲収差を示す図
【図４５】結像光学系の色収差を示す図
【図４６】第８面の光軸中心から周辺にかけての曲率変化を示す図
【図４７】第９面の光軸中心から周辺にかけての曲率変化を示す図
【図４８】第２面の光軸中心から周辺にかけての曲率変化を示す図
【図４９】第７実施形態であり、結像光学系の構成を示す図
【図５０】結像光学系の球面収差を示す図
【図５１】結像光学系の非点収差を示す図
【図５２】結像光学系の歪曲収差を示す図
【図５３】結像光学系の色収差を示す図
【図５４】第８面の光軸中心から周辺にかけての曲率変化を示す図
【図５５】第９面の光軸中心から周辺にかけての曲率変化を示す図
【図５６】第２面の光軸中心から周辺にかけての曲率変化を示す図
【図５７】第８実施形態であり、結像光学系の構成を示す図
【図５８】結像光学系の球面収差を示す図
【図５９】結像光学系の非点収差を示す図
【図６０】結像光学系の歪曲収差を示す図
【図６１】結像光学系の色収差を示す図
【図６２】第８面の光軸中心から周辺にかけての曲率変化を示す図
【図６３】第９面の光軸中心から周辺にかけての曲率変化を示す図
【図６４】第２面の光軸中心から周辺にかけての曲率変化を示す図
【図６５】第８実施形態（Ｌ）であり、結像光学系の構成を示す図
【図６６】結像光学系の球面収差を示す図
【図６７】結像光学系の非点収差を示す図
【図６８】結像光学系の歪曲収差を示す図
【図６９】結像光学系の色収差を示す図
【図７０】第８面の光軸中心から周辺にかけての曲率変化を示す図
【図７１】第９面の光軸中心から周辺にかけての曲率変化を示す図
【図７２】第２面の光軸中心から周辺にかけての曲率変化を示す図
【図７３】第８実施形態（Ｈ）であり、結像光学系の構成を示す図
【図７４】結像光学系の球面収差を示す図
【図７５】結像光学系の非点収差を示す図
【図７６】結像光学系の歪曲収差を示す図
【図７７】結像光学系の色収差を示す図
【図７８】第８面の光軸中心から周辺にかけての曲率変化を示す図
【図７９】第９面の光軸中心から周辺にかけての曲率変化を示す図
【図８０】第２面の光軸中心から周辺にかけての曲率変化を示す図
【図８１】第９実施形態であり、結像光学系の構成を示す図
【図８２】結像光学系の球面収差を示す図
【図８３】結像光学系の非点収差を示す図
【図８４】結像光学系の歪曲収差を示す図
【図８５】結像光学系の色収差を示す図
【図８６】第８面の光軸中心から周辺にかけての曲率変化を示す図
【図８７】第９面の光軸中心から周辺にかけての曲率変化を示す図
【図８８】第２面の光軸中心から周辺にかけての曲率変化を示す図
【図８９】第９実施形態（Ｌ）であり、結像光学系の構成を示す図
【図９０】結像光学系の球面収差を示す図
【図９１】結像光学系の非点収差を示す図
【図９２】結像光学系の歪曲収差を示す図
【図９３】結像光学系の色収差を示す図
【図９４】第８面の光軸中心から周辺にかけての曲率変化を示す図
【図９５】第９面の光軸中心から周辺にかけての曲率変化を示す図
【図９６】第２面の光軸中心から周辺にかけての曲率変化を示す図
【図９７】第９実施形態（Ｈ）であり、結像光学系の構成を示す図
【図９８】結像光学系の球面収差を示す図
【図９９】結像光学系の非点収差を示す図
【図１００】結像光学系の歪曲収差を示す図
【図１０１】結像光学系の色収差を示す図
【図１０２】第８面の光軸中心から周辺にかけての曲率変化を示す図
【図１０３】第９面の光軸中心から周辺にかけての曲率変化を示す図
【図１０４】第２面の光軸中心から周辺にかけての曲率変化を示す図
【図１０５】第１０実施形態であり、結像光学系の構成を示す図
【図１０６】結像光学系の球面収差を示す図
【図１０７】結像光学系の非点収差を示す図
【図１０８】結像光学系の歪曲収差を示す図
【図１０９】結像光学系の色収差を示す図
【図１１０】第８面の光軸中心から周辺にかけての曲率変化を示す図
【図１１１】第９面の光軸中心から周辺にかけての曲率変化を示す図
【図１１２】第２面の光軸中心から周辺にかけての曲率変化を示す図
【図１１３】第１０実施形態（Ｌ）であり、結像光学系の構成を示す図
【図１１４】結像光学系の球面収差を示す図
【図１１５】結像光学系の非点収差を示す図
【図１１６】結像光学系の歪曲収差を示す図
【図１１７】結像光学系の色収差を示す図
【図１１８】第８面の光軸中心から周辺にかけての曲率変化を示す図
【図１１９】第９面の光軸中心から周辺にかけての曲率変化を示す図
【図１２０】第２面の光軸中心から周辺にかけての曲率変化を示す図
【図１２１】第１０実施形態（Ｈ）であり、結像光学系の構成を示す図
【図１２２】結像光学系の球面収差を示す図
【図１２３】結像光学系の非点収差を示す図
【図１２４】結像光学系の歪曲収差を示す図
【図１２５】結像光学系の色収差を示す図
【図１２６】第８面の光軸中心から周辺にかけての曲率変化を示す図
【図１２７】第９面の光軸中心から周辺にかけての曲率変化を示す図
【図１２８】第２面の光軸中心から周辺にかけての曲率変化を示す図
【図１２９】第１１実施形態であり、結像光学系の構成を示す図
【図１３０】結像光学系の球面収差を示す図
【図１３１】結像光学系の非点収差を示す図
【図１３２】結像光学系の歪曲収差を示す図
【図１３３】結像光学系の色収差を示す図
【図１３４】第８面の光軸中心から周辺にかけての曲率変化を示す図
【図１３５】第９面の光軸中心から周辺にかけての曲率変化を示す図
【図１３６】第２面の光軸中心から周辺にかけての曲率変化を示す図
【図１３７】第１２実施形態であり、結像光学系の構成を示す図
【図１３８】結像光学系の球面収差を示す図
【図１３９】結像光学系の非点収差を示す図
【図１４０】結像光学系の歪曲収差を示す図
【図１４１】結像光学系の色収差を示す図
【図１４２】第８面の光軸中心から周辺にかけての曲率変化を示す図
【図１４３】第９面の光軸中心から周辺にかけての曲率変化を示す図
【図１４４】第２面の光軸中心から周辺にかけての曲率変化を示す図
【図１４５】第１３実施形態であり、結像光学系の構成を示す図
【図１４６】結像光学系の球面収差を示す図
【図１４７】結像光学系の非点収差を示す図
【図１４８】結像光学系の歪曲収差を示す図
【図１４９】結像光学系の色収差を示す図
【図１５０】第８面の光軸中心から周辺にかけての曲率変化を示す図
【図１５１】第９面の光軸中心から周辺にかけての曲率変化を示す図
【図１５２】第２面の光軸中心から周辺にかけての曲率変化を示す
【図１５３】第１４実施形態であり、結像光学系の構成を示す図
【図１５４】結像光学系の球面収差を示す図
【図１５５】結像光学系の非点収差を示す図
【図１５６】結像光学系の歪曲収差を示す図
【図１５７】結像光学系の色収差を示す図
【図１５８】第８面の光軸中心から周辺にかけての曲率変化を示す図
【図１５９】第９面の光軸中心から周辺にかけての曲率変化を示す図
【図１６０】第２面の光軸中心から周辺にかけての曲率変化を示す図
【図１６１】第１５実施形態であり、結像光学系の構成を示す図
【図１６２】結像光学系の球面収差を示す図
【図１６３】結像光学系の非点収差を示す図
【図１６４】結像光学系の歪曲収差を示す図
【図１６５】結像光学系の色収差を示す図
【図１６６】第８面の光軸中心から周辺にかけての曲率変化を示す図
【図１６７】第９面の光軸中心から周辺にかけての曲率変化を示す図
【図１６８】第２面の光軸中心から周辺にかけての曲率変化を示す
【図１６９】第１６実施形態であり、結像光学系の構成を示す図
【図１７０】結像光学系の球面収差を示す図
【図１７１】結像光学系の非点収差を示す図
【図１７２】結像光学系の歪曲収差を示す図
【図１７３】結像光学系の色収差を示す図
【図１７４】第８面の光軸中心から周辺にかけての曲率変化を示す図
【図１７５】第９面の光軸中心から周辺にかけての曲率変化を示す図
【図１７６】第２面の光軸中心から周辺にかけての曲率変化を示す図
【発明を実施するための形態】
【００１１】
（実施形態の作用効果）
各実施形態に共通の構成である結像光学系は、物体側から像面側に向かう方向に順に、負の屈折力を有する第１レンズ，正の屈折力を有し物体側が凹面であるメニスカス形状の第２レンズ，正の屈折力を有し両面が凸面である第３レンズ，負の屈折力を有し像面側が凹面である第４レンズ及び正の屈折力を有し両面が凸面である第５レンズを備える。そして、第４レンズは、像面側の面が非球面形状であり、前記非球面は負の屈折力が、光軸から周辺に向かって次第に弱くなる部分を有している。
【００１２】
以下では、上記共通の構成，及び追加的に採用する構成に関する作用効果を説明する。尚、各実施形態は、少なくとも半画角が６０度，Ｆナンバーが１．６３以下の仕様を満たす。
【００１３】
＜第１レンズが負の屈折力を有し，
第２レンズが正の屈折力を有し物体側が凹面でメニスカス形状＞
レトロフォーカスタイプにおいて１２０度以上の広角化を達成するには、主点の位置を像側に移動させて、全体の焦点距離を短くする必要がある。そのためには、前群の負の屈折力を強める必要がある。そこで、負の屈折力を有する第１レンズと正の屈折力を有する第２レンズとを組み合わせて前者の負の屈折力を強めることで、負の屈折力を主に第１レンズに負担させる。加えて、第２レンズの物体側を凹面にすることで負の屈折力を補う。これらにより、前群を構成するレンズの枚数を抑制できる。また、第２レンズを、正の屈折力を有するメニスカス形状とすることで、大口径化に伴い増大する球面収差及び広角化に伴い増大する非点収差を効果的に補正できる。
【００１４】
＜第３レンズが正の屈折力を有し、両面が凸面，
第４レンズが負の屈折力を有し、像面側が凹面，加えて、像面側の面が非球面形状であり、前記非球面は負の屈折力が、光軸から周辺に向かって次第に弱くなる部分を有する，
第５レンズが正の屈折力を有し、両面が凸面＞
後群については、レンズ枚数を増やせば要求される光学性能を満たすことが容易になるが、小型軽量化を図るにはレンズ枚数を少なくするのが望ましい。そこで、後群を第３〜第５レンズで構成する。また、後群には強い正の屈折力を付与する必要があるので、第３，第５レンズに正の屈折力を付与し、第４レンズに負の屈折力を付与する。このように構成することで、レンズ１枚当たりに付与する屈折力を抑えつつ、球面収差や色収差等の収差を効果的に補正できる。
【００１５】
加えて、第４レンズの像面側を凹面とし、且つ負の屈折力が、光軸から周辺に向かって次第に弱くなる部分を有している非球面にすることで、広角化に伴い増大する非点収差を容易に補正できる。また、第３レンズに正の屈折力を付与することで、第４レンズに入射する光束を画角毎に分離できるため、第４レンズの非球面による補正効果を向上させることができる。更に、第３，第５レンズの両面を凸面にすることで、それぞれのレンズに発生する球面収差が物体側と像面側とに分配されるので、全体としての収差の発生量を抑えることができる。また、第５レンズの像面側を凸面にすることで、歪曲収差を効果的に補正できる。これらにより、結像光学系の広角化を図ると共に大口径化も図ることが可能になり、各収差も低減できる。
【００１６】
＜絞りの位置＞
絞りの位置は、第２，第３レンズの間とするのが好ましい。第３レンズよりも像面側に配置すると、第１レンズ径の大型化を招くため小型化が困難となる。また、第２レンズよりも物体側に配置すると、絞りの前後における屈折力差が増大するので、歪曲収差等の補正が困難となるからである。
【００１７】
＜第４レンズは物体側の面が非球面形状で、前記非球面は負の屈折力が、光軸近傍から周辺に向かって次第に強くなる部分を有し、両面の屈折力の変化に変曲点を有している＞
第４レンズは、物体側の面が非球面形状で、その非球面は負の屈折力が、光軸近傍から周辺に向かって次第に強くなる部分を有していることが好ましい。これにより、大口径化に伴い増大する球面収差及び広角化に伴い増大する非点収差を効果的に補正できる。更に、有効径内の屈折力変化に変曲点を持たせることで、軸外光束に対する補正効果が向上するので、非点収差をより効果的に補正できる。
【００１８】
＜第１レンズは像面側の面が非球面形状で、前記非球面は負の屈折力が、光軸近傍から周辺に向かって次第に弱くなる部分を有している＞
加えて、第１レンズの像面側を非球面形状で、その非球面は負の屈折力が、光軸近傍から周辺に向かって次第に弱くなる部分を有していることが好ましい。これにより、広角化に伴い増大する非点収差及び歪曲収差を効果的に補正できる。
【００１９】
＜第１レンズの条件式（１），（２）＞
第１レンズについては、結像光学系全体の焦点距離をｆ，第１レンズの焦点距離をｆ１とすると、以下の条件式を満たすことが好ましい。
１．３＜｜ｆ１｜／ｆ＜３．１ …（１）
（１）式の条件を満たすことで、第１レンズの屈折力が適正な範囲となり、前群に十分な負の屈折力を付与できる。これにより、負の屈折力を有するレンズを第１レンズ１枚のみで構成できるので、結像光学系全体の小型化が可能になる。
【００２０】
これに対し、（１）式の比が下限値「１．３」以下になると、第１レンズの屈折力が強くなり過ぎて良好な光学性能を得ることが困難になる。また、例えば第１レンズを樹脂レンズとした際に、中心部に対する周辺部の肉厚比である偏肉比が大きくなり過ぎ、第１レンズを高い精度で成形するのが困難になる。また、（１）式の比が上限値「３．１」以上になると、第１レンズの屈折力が弱くなり過ぎ、前群の負の屈折力が不十分となって負の屈折力を有するレンズを追加する必要が生じる。したがって、結像光学系全体の小型化や軽量化が困難になる。更に、第１レンズについては、以下の条件式を満たすことがより好ましい。
１．５＜｜ｆ１｜／ｆ＜２．０ …（２）
【００２１】
＜第２レンズの条件式（３），（４）＞
第２レンズについては、焦点距離をｆ２とすると、以下の条件式を満たすことが好ましい。
２．９＜｜ｆ２｜／ｆ …（３）
【００２２】
（３）式の条件を満たすことで、第２レンズの屈折力が適正な範囲となって良好な光学性能を得ることができ、小型且つ軽量でありながら広角化と大口径化との両立が容易となる。
【００２３】
これに対し、（３）式の比が下限値「２．９」以下になると第２レンズの屈折力が強くなり過ぎ、前群として広角化に必要な負の屈折力を十分に得ることが困難となり、レンズ枚数の増加を招き結像光学系全体の小型化や軽量化が困難になる。また、球面収差が増大するため、良好な光学性能を確保できなくなる。更に、第２レンズについては、以下の条件式を満たすことがより好ましい。
３．７＜｜ｆ２｜／ｆ＜５．０ …（４）
【００２４】
＜第４レンズの条件式（５），（６）＞
第４レンズについては、焦点距離をｆ４とすると、以下の条件式を満たすことが好ましい。
１．０＜｜ｆ４｜／ｆ＜２．１ …（５）
（５）式の条件を満たすことで、第４レンズの屈折力が適正な範囲となり、良好な光学性能を得ることができ、小型且つ軽量でありながら広角化と大口径化との両立が容易となる。
【００２５】
これに対し、（５）式の比が下限値「１．０」以下になると、第４レンズの屈折力が強
くなり過ぎて非点収差や像面湾曲収差の補正が困難となり、良好な光学性能が得られなくなる。また、第１レンズに十分な負の屈折力を付与させることが困難となり、第１レンズ径の増大を招く。また、（５）式の比が上限値「２．１」以上になると、第４レンズの屈折力が弱くなり過ぎ、非点収差や色収差の補正が困難となり、良好な光学性能が得られなくなる。更に、第４レンズについては、以下の条件式を満たすことがより好ましい。
１．２＜｜ｆ４｜／ｆ＜１．５ …（６）
【００２６】
＜第１レンズは物体側が凸面のメニスカス形状＞
更に、第１レンズを、物体側が凸面であるメニスカス形状にすることが好ましい。これにより、軸外光線の入射角度を小さく維持することができ、広角化に伴い増大する歪曲収差を効果的に補正できる。
【００２７】
＜第４レンズの両面が凹面＞
第４レンズは両面を凹面とするのが好ましい。これにより、第４レンズに発生する球面収差を物体側，像面側の各面に分配できるので、収差の発生量が全体として小さくなる。
【００２８】
＜第２レンズの少なくとも一方の面が非球面形状＞
また、第２レンズの少なくとも一方の面を非球面にすることが好ましい。第２レンズは絞りに近い面を有しているため、大口径化に伴い増大する球面収差及びコマ収差を効果的に補正できる。
【００２９】
＜第３レンズの少なくとも一方の面が非球面形状＞
また、第３レンズの少なくとも一方の面を非球面にすることが好ましい。第３レンズは絞りに近い面を有しているため、大口径化に伴い増大する球面収差を効果的に補正できる。
【００３０】
＜第３レンズの相対屈折率温度係数＞
第３レンズについては、２０℃環境下のｄ線における相対屈折率温度係数（ｄｎ／ｄＴ）3が、以下の条件式を満たすことが好ましい。
｜（ｄｎ／ｄＴ）3｜＜１０×１０-6／℃ …（７）
（７）式の条件を満たすことで、第３レンズの屈折率温度係数が適正な範囲となる。この場合、第１，第２，第４，第５レンズを樹脂レンズとし、第３レンズをガラスレンズとするのが好ましい。一般に、樹脂レンズはガラスレンズに比較して形状の自由度が高くコストを抑えられるというメリットがある一方で、熱による影響を受け易いというデメリットがある。しかしながら、第３レンズが（７）式の条件を満たすことで、ガラスレンズを１枚のみとしながら、温度が−４０度〜１０５度の範囲で変化しても光学性能の変化が少なく、温度特性に優れた光学系を得ることができる。
【００３１】
これに対し、（７）式の比が上限値「１０×１０-6」以上になると、熱の影響による第３レンズの屈折率変化が大きくなり過ぎる。すると、温度変化時に、各レンズで発生する焦点距離の変化を光学系全体として相殺させるのが困難となり、温度変化に伴い光学系全体の焦点位置が移動してしまう。したがって、良好な光学性能が得られなくなる。更に、第３レンズについては、以下の条件式を満たすことがより好ましい。
｜（ｄｎ／ｄＴ）3｜＜６×１０-6／℃…（８）
【００３２】
＜第５レンズの相対屈折率温度係数＞
第５レンズについては、２０℃環境下のｄ線における相対屈折率温度係数（ｄｎ／ｄＴ）5が、以下の条件式を満たすことが好ましい。
｜（ｄｎ／ｄＴ）5｜＜１０×１０-6／℃ …（９）
（９）式の条件を満たすことで、第５レンズの屈折率温度係数が適正な範囲となる。この
場合、第１〜第４レンズを樹脂レンズとし、第５レンズをガラスレンズとするのが好ましい。一般に、樹脂レンズはガラスレンズに比較して形状の自由度が高くコストを抑えられるというメリットがある一方で、熱による影響を受け易いというデメリットがある。しかしながら、第５レンズが（７）式の条件を満たすことで、ガラスレンズを１枚のみとしながら、温度が−４０度〜１０５度の範囲で変化しても光学性能の変化が少なく、温度特性に優れた光学系を得ることができる。
【００３３】
これに対し、（９）式の比が上限値「１０×１０-6」以上になると、熱の影響による第５レンズの屈折率変化が大きくなり過ぎる。すると、温度変化時に、各レンズで発生する焦点距離の変化を光学系全体として相殺させるのが困難となり、温度変化に伴い光学系全体の焦点位置が移動してしまう。したがって、良好な光学性能が得られなくなる。更に、第５レンズについては、以下の条件式を満たすことがより好ましい。
｜（ｄｎ／ｄＴ）5｜＜６×１０-6／℃ …（１０）
【００３４】
（第１実施形態）
図１に示すように、本実施形態の結像光学系１は、物体側から順に、負の屈折力を有する第１レンズＬ１，正の屈折力を有し物体側が凹面であるメニスカス形状の第２レンズＬ２，正の屈折力を有し両面が凸面である第３レンズＬ３，負の屈折力を有し像面側が凹面である第４レンズＬ４及び正の屈折力を有し両面が凸面である第５レンズＬ５を備える。そして、第４レンズＬ４は、像面側の面が非球面形状であり、その非球面は負の屈折力が光軸から周辺に向かって次第に弱くなる部分を有している。絞りＳは、第２レンズＬ２と第３レンズＬ３との間に設けられている。第１レンズＬ１〜第４レンズＬ４の材料は何れも樹脂であり、第５レンズＬ５の材料はガラスである。第５レンズＬ５と像面Ｉとの間には、光学ブロックＣが配置されている。光学ブロックＣは、光学フィルタや、フェースプレート、水晶ローパスフィルタ、赤外カットフィルタ、カバーガラス等に相当するものである。
【００３５】
その他、結像光学系１には、以下の特徴がある。
・第１レンズＬ１：像面側の面が非球面形状で物体側が凸面のメニスカス形状。非球面は負の屈折力が、光軸から周辺に向かって次第に弱くなる部分を有する。
・第２レンズＬ２：少なくとも一方の面が非球面形状。
・第３レンズＬ３：少なくとも一方の面が非球面形状。
・第４レンズＬ４：物体側が凹面であり非球面形状。物体側の非球面は負の屈折力が、光軸から周辺に向かって次第に強くなる部分を有する。
結像光学系１の仕様は、全焦点距離：4.000mm，Ｆナンバー：1.61，半画角：60°,
像高：4.29mm,バックフォーカス：6.219mm,レンズ全長：26.601mmである。
【００３６】
次に、本実施形態の数値データを示す。各単位は［ｍｍ］である。
面データ
面番号      曲率半径ｒ    面間隔d    屈折率Nd    アッベ数Vd    有効径
1*          15.707        1.000        1.545        56.003      13.59
2*           3.044        4.603                                  8.05
3*         -10.542        3.502        1.640        23.529      7.18
4*          -7.129        1.574                                  7.15
5（絞り）  Infinity       0.231
6*          10.548        2.949        1.545        56.003      6.92
7*          -6.983        1.603                                  7.24
8*          -9.438        0.798        1.661        20.373      6.59
9*           5.821        0.238                                  8.17
10*          8.706        3.748        1.729        54.041      8.86
11*         -6.005        1.000                                  9.06
12          Infinity      0.400        1.517        64.167      8.94
13          Infinity      4.956                                  8.93
「*」は、以降の全ての数値データも含め非球面であることを示す。
【００３７】
第１，第２，第４レンズの焦点距離を、それぞれｆ１，ｆ２，ｆ４とする。また、第３レンズ，第５レンズの屈折率温度係数を、それぞれ（ｄｎ／ｄＴ）3，（ｄｎ／ｄＴ）5とする。また、第１，第２レンズの距離をｄ１２とする。尚、以下では、１０のべき乗表現を「E+,E-」で示す。例えば「E+02」は×１０2を、「E-03」は×１０-3を示す。
単レンズデータ
｜ｆ１｜／ｆ          1.78
ｆ２／ｆ              6.14
｜ｆ４｜／ｆ          1.33
｜（ｄｎ／ｄＴ）3｜  95.97E-06
｜（ｄｎ／ｄＴ）5｜   2.69E-06
ｄ１２／ｆ            1.15
｜ｆ１｜／ｆは（２）式を、ｆ２／ｆは（３）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００３８】
非球面データ
第１面
k=0,A4=-1.1153E-03,A6=1.8662E-05,A8=-1.5608E-07
A10=5.7705E-10,A12=0
第２面
k=-1.1083,A4=1.6804E-03,A6=-2.0942E-05,A8=-6.4190E-07
A10=-1.5540E-08,A12=0
第３面
k=0,A4=-2.4535E-04,A6=-3.5477E-05,A8=-5.1714E-06
A10=2.4256E-07,A12=0
第４面
k=0,A4=1.7787E-03,A6=-1.2103E-04,A8=5.3616E-06
A10=-6.2507E-08,A12=0
第６面
k=0,A4=2.9194E-03,A6=-1.9054E-04,A8=1.2365E-05
A10=-5.6600E-07,A12=0
第７面
k=0,A4=2.6132E-03,A6=-2.4744E-04,A8=1.6245E-05
A10=-7.1955E-07,A12=0
第８面
k=0,A4=-4.1119E-03,A6=-1.4316E-04,A8=1.1572E-05
A10=-4.1174E-07,A12=0
第９面
k=0,A4=-6.3071E-03,A6=3.3489E-04,A8=-1.3192E-05
A10=1.8510E-07,A12=0
第１０面
k=0,A4=-1.6459E-03,A6=8.4131E-05,A8=-2.8533E-06
A10=5.1154E-08,A12=0
第１１面
k=0,A4=6.4017E-04,A6=1.3554E-05,A8=4.4600E-07
A10=4.0801E-08,A12=0
【００３９】
図２から図５は、球面収差，非点収差，歪曲収差，色収差を示す。球面収差の実線は波長587.6nmのｄ線，細かい破線は波長486.1nmのＦ線，荒い破線は波長656.3nmのＣ線である。非点収差の実線はサジタル方向ΔＳ，破線はタンジェンシャル方向ΔＭである。図中のＹは像高である。また、図６から図８は、第８面，第９面，第２面の光軸中心から周辺にかけての径方向の曲率の変化を示す。尚、屈折力は曲率と屈折率とで決まるため、これらの図では、屈折力の変化を径方向の曲率の変化として示している。横軸はレンズの有効径（半径）［％］を示す。第４レンズＬ４の物体側の曲率の変化曲線には、変曲点があるが、像面側の同変化曲線には変曲点が無い。
【００４０】
（第２実施形態）
図９は、結像光学系２を示しており、第１実施形態と同様に第１レンズＬ１〜第５レンズＬ５及び光学ブロックＣで構成されている。以降の実施形態も同様である。結像光学系２の仕様は、
全焦点距離：4.000mm，Ｆナンバー：1.59，半画角：60°,像高：4.27mm,
バックフォーカス：6.001mm,レンズ全長：24.945mmである。
【００４１】
次に、第２実施形態の数値データを示す。各単位は［ｍｍ］である。
面データ
面番号      曲率半径ｒ    面間隔d    屈折率Nd    アッベ数Vd    有効径
1*          21.248        1.297        1.545        56.003      12.11
2*           2.471        3.755                                  6.75
3*        -300.000        2.961        1.640        23.529      6.76
4*          -9.674        0.695                                  6.08
5（絞り）   Infinity      0.063
6*          10.309        2.935        1.545        56.003      6.52
7*          -7.855        0.849                                  6.87
8*         -14.219        1.801        1.661        20.373      6.45
9*           5.610        0.119                                  8.30
10*          6.701        4.332        1.729        54.041      9.50
11*         -6.837        1.000                                  9.70
12          Infinity      0.400        1.517        64.167      9.56
13          Infinity      4.737                                  9.54
【００４２】
単レンズデータ
｜ｆ１｜／ｆ          1.32
ｆ２／ｆ              3.89
｜ｆ４｜／ｆ          1.47
｜（ｄｎ／ｄＴ）3｜  95.97E-06
｜（ｄｎ／ｄＴ）5｜   2.69E-06
ｄ１２／ｆ            0.94
｜ｆ１｜／ｆは（１）式を、ｆ２／ｆは（４）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００４３】
非球面データ
第１面
k=0,A4=-1.0266E-03,A6=1.7830E-05,A8=-1.8691E-07
A10=8.0147E-10,A12=-1.7266E-13
第２面
k=-6.0885E-01,A4=2.0920E-04,A6=-2.4521E-05,A8=-4.1889E-06
A10=-3.7876E-08，A12=7.9668E-09
第３面
k=0,A4=3.9984E-04,A6=4.5908E-05,A8=-6.5752E-06
A10=6.5072E-07,A12=4.2775E-09
第４面
k=0,A4=2.1563E-03,A6=-1.3960E-04,A8=4.8768E-06
A10=5.6426E-07,A12=5.8054E-09
第６面
k=0,A4=2.9131E-03,A6=-2.4005E-04,A8=1.8024E-05
A10=-7.8710E-07,A12=3.0279E-10
第７面
k=0,A4=-1.4172E-03,A6=-8.0451E-05,A8=1.2960E-05
A10=-6.6557E-07,A12=9.0201E-10
第８面
k=0,A4=-5.1725E-03,A6=-7.2652E-05,A8=3.5759E-06
A10=5.7384E-08,A12=2.3549E-09
第９面
k=0,A4=-3.8068E-03,A6=8.6679E-05,A8=-1.9849E-06
A10=1.0863E-08,A12=2.1047E-10
第１０面
k=0,A4=-1.6058E-03,A6=1.7445E-05,A8=3.0821E-07
A10=-1.0736E-08,A12=2.5915E-11
第１１面
k=0,A4=6.3988E-04,A6=2.1635E-06,A8=1.3236E-06
A10=-1.3540E-08,A12=-4.9893E-11
【００４４】
図１０から図１３は、球面収差，非点収差，歪曲収差，色収差を示す。また、図１４から図１６は、第８面，第９面，第２面の光軸中心から周辺にかけての曲率の変化を示す。第４レンズＬ４両面の曲率の変化曲線は、何れも変曲点を有している。第２実施形態の特徴は、第４レンズの像面側の変化曲線に変曲点を有している点を除いて、第１実施形態と同様である。
【００４５】
（第３実施形態）
図１７は、結像光学系３を示している。結像光学系３の仕様は、
全焦点距離：4.000mm，Ｆナンバー：1.60，半画角：60°,像高：4.21mm,
バックフォーカス：4.980mm,レンズ全長：26.601mmである。
【００４６】
次に、第３実施形態の数値データを示す。各単位は［ｍｍ］である。
面データ
面番号      曲率半径ｒ    面間隔d    屈折率Nd    アッベ数Vd    有効径
1*          16.391        0.990        1.545        56.003      13.14
2*           4.567        4.633                                  8.96
3*          -5.215        3.516        1.640        23.529      7.32
4*          -5.990        2.055                                  6.69
5（絞り）  Infinity      -0.002
6*          17.133        3.975        1.545        56.003      5.38
7*          -4.178        1.770                                  6.91
8*          -8.393        0.784        1.661        20.373      6.69
9*           5.832        0.188                                  8.10
10*         12.438        3.575        1.729        54.041      8.72
11*         -5.278        1.000                                  8.85
12          Infinity      0.400        1.517        64.167      8.78
13          Infinity      3.717                                  8.78
【００４７】
単レンズデータ
｜ｆ１｜／ｆ          3.00
ｆ２／ｆ             20.46
｜ｆ４｜／ｆ          1.27
｜（ｄｎ／ｄＴ）３｜  95.97E-06
｜（ｄｎ／ｄＴ）５｜   2.69E-06
ｄ１２／ｆ            1.16
【００４８】
｜ｆ１｜／ｆは（１）式を、ｆ２／ｆは（３）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００４９】
非球面データ
第１面
k=0,A4=2.4217E-03,A6=-1.2219E-04,A8=2.0885E-06
A10=-1.2750E-08,A12=0
第２面
k=-1.3559E-01,A4=3.6590E-03,A6=-5.2875E-05，A8=-3.5141E-06
A10=-2.2795E-07，A12=0
第３面
k=0,A4=2.9178E-03,A6=-4.9982E-05,A8=-1.7074E-06
A10=1.0861E-07,A12=0
第４面
k=0,A4=3.7242E-03,A6=-1.4005E-04,A8=8.1988E-06
A10=-1.6045E-07,A12=0
第６面
k=0,A4=2.1748E-03,A6=-3.2966E-04,A8=1.7408E-05
A10=-1.8732E-06,A12=0
第７面
k=0,A4=3.8064E-03,A6=-2.7555E-04,A8=1.5677E-05
A10=-3.8524E-07,A12=0
第８面
k=0,A4=-5.5874E-03,A6=-1.8490E-04,A8=5.1744E-05
A10=-1.9057E-06,A12=0
第９面
k=0,A4=-8.4510E-03,A6=5.2828E-04,A8=-1.7045E-05
A10=1.3921E-07,A12=0
第１０面
k=0,A4=1.2219E-04,A6=2.7593E-05,A8=-8.8292E-07
A10=4.1273E-09,A12=0
第１１面
k=0,A4=1.4094E-03,A6=5.7965E-05,A8=-6.6169E-07
A10=6.9391E-08,A12=0
【００５０】
図１８から図２１は、球面収差，非点収差，歪曲収差，色収差を示す。また、図２２から図２４は、第８面，第９面，第２面の光軸中心から周辺にかけての曲率の変化を示す。第４レンズＬ４両面の曲率の変化曲線は、何れも変曲点を有している。第３実施形態の特徴は、第２実施形態と同様である。
【００５１】
（第４実施形態）
図２５は、結像光学系４を示している。結像光学系４の仕様は、
全焦点距離：4.000mm，Ｆナンバー：1.55，半画角：60°,像高：4.29mm,
バックフォーカス：6.570mm,レンズ全長：26.600mmである。
【００５２】
次に、第４実施形態の数値データを示す。各単位は［ｍｍ］である。
面データ
面番号      曲率半径ｒ    面間隔d    屈折率Nd    アッベ数Vd    有効径
1*          17.531        1.470        1.545        56.003      14.32
2*           2.902        4.604                                  7.76
3*         -20.141        3.503        1.640        23.529      7.06
4*          -5.936        1.186                                  7.00
5（絞り）   Infinity     -0.001
6*         107.502        2.486        1.545        56.003      6.09
7*          -5.937        0.950                                  6.51
8*          -9.483        1.435        1.661        20.373      6.26
9*           5.300        0.208                                  8.61
10*          7.429        4.053        1.729        54.041      9.24
11*         -5.953        1.000                                  9.52
12          Infinity      0.400        1.517        64.167      9.40
13          Infinity      5.307                                  9.39
【００５３】
単レンズデータ
｜ｆ１｜／ｆ          1.66
ｆ２／ｆ              3.00
｜ｆ４｜／ｆ          1.24
｜（ｄｎ／ｄＴ）3｜  95.97E-06
｜（ｄｎ／ｄＴ）5｜   2.69E-06
ｄ１２／ｆ            1.15
｜ｆ１｜／ｆは（２）式を、ｆ２／ｆは（３）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００５４】
非球面データ
第１面
k=0,A4=-7.1972E-04,A6=7.2123E-06,A8=-5.4341E-09
A10=-2.2021E-10,A12=-8.1849E-14
第２面
k=-5.9088E-01,A4=-5.4743E-05,A6=-5.6806E-05，A8=7.5118E-07
A10=-2.3402E-07，A12=-1.6319E-09
第３面
k=0,A4=-6.7849E-04,A6=-7.5013E-05,A8=6.2095E-06
A10=-1.1085E-06,A12=4.8700E-08
第４面
k=0,A4=3.5281E-03,A6=-3.1272E-04,A8=2.4340E-05
A10=-1.3197E-06,A12=3.9699E-08
第６面
k=0,A4=6.6257E-03,A6=-5.5385E-04,A8=4.2197E-05
A10=-1.6120E-06,A12=-1.4487E-08
第７面
k=0,A4=4.2247E-03,A6=-5.0773E-04,A8=3.2641E-05
A10=-3.1223E-07,A12=-8.3896E-08
第８面
k=0,A4=-2.6897E-03,A6=-4.8661E-04,A8=5.0925E-05
A10=-2.9414E-06,A12=4.6111E-09
第９面
k=0,A4=-6.6466E-03,A6=3.4710E-04,A8=-1.6597E-05
A10=3.1542E-07,A12=-2.8996E-09
第１０面
k=0,A4=-2.4232E-03,A6=1.0885E-04,A8=-4.1876E-06
A10=7.3202E-08,A12=-1.4413E-10
第１１面
k=0,A4=6.1849E-04,A6=9.8051E-06,A8=-1.8971E-08
A10=5.0329E-08,A12=-2.0236E-10
【００５５】
図２６から図２９は、球面収差，非点収差，歪曲収差，色収差を示す。また、図３０から図３１は、第８面，第９面，第２面の光軸中心から周辺にかけての曲率の変化を示す。第４実施形態の特徴は、第１実施形態と同様である。
【００５６】
（第５実施形態）
図３３は、結像光学系５を示している。結像光学系５の仕様は、
全焦点距離：4.000mm，Ｆナンバー：1.57，半画角：60°,像高：4.27mm,
バックフォーカス：5.536mm,レンズ全長：26.601mmである。
【００５７】
次に、第５実施形態の数値データを示す。各単位は［ｍｍ］である。
面データ
面番号      曲率半径ｒ    面間隔d    屈折率Nd    アッベ数Vd    有効径
1*          12.119        1.198        1.545        56.003      13.34
2*           2.888        4.615                                  7.89
3*          -9.328        2.637        1.640        23.529      7.19
4*         -10.063        2.193                                  6.99
5（絞り）   Infinity     -0.006 
6*           7.887        3.065        1.545        56.003      7.01
7*          -6.236        2.422                                  7.47
8*          -9.409        0.789        1.661        20.373      7.23
9*           6.021        0.157                                  8.65
10*          7.454        3.860        1.729        54.041      9.29
11*         -6.451        1.000                                  9.28
12          Infinity      0.400        1.517        64.167      9.20
13          Infinity      4.272                                  9.19
【００５８】
単レンズデータ
｜ｆ１｜／ｆ          1.82
ｆ２／ｆ            125.00
｜ｆ４｜／ｆ          1.36
｜（ｄｎ／ｄＴ）3｜  95.97E-06
｜（ｄｎ／ｄＴ）5｜   2.69E-06
ｄ１２／ｆ            1.15
｜ｆ１｜／ｆは（２）式を、ｆ２／ｆは（３）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００５９】
非球面データ
第１面
k=0,A4=-1.1605E-03,A6=1.1821E-05,A8=-2.4216E-08
A10=-3.3157E-10,A12=0
第２面
k=-9.0450E-01,A4=9.8009E-04,A6=-1.0511E-05,A8=-1.4143E-06
A10=-1.9577E-08,A12=0
第３面
k=0,A4=2.3980E-05,A6=-5.0522E-05,A8=-5.6059E-07
A10=1.1529E-07,A12=0
第４面
k=0,A4=3.8575E-04,A6=-1.9209E-05,A8=1.0948E-06
A10=1.1478E-07,A12=0
第６面
k=0,A4=-1.0303E-04,A6=-1.7412E-05,A8=2.1128E-08
A10=-7.0331E-08,A12=0
第７面
k=0,A4=1.2290E-03,A6=-5.8818E-05,A8=3.5350E-06
A10=-1.5570E-07,A12=0
第８面
k=0,A4=-1.7750E-03,A6=-1.0180E-04,A8=6.2256E-06
A10=-9.0509E-09,A12=0
第９面
k=0,A4=-3.7805E-03,A6=1.1691E-04,A8=-2.9175E-06
A10=5.3348E-10,A12=0
第１０面
k=0,A4=-1.9411E-03,A6=8.2049E-05,A8=-2.3007E-06
A10=3.6289E-08,A12=0
第１１面
k=0,A4=7.1855E-04,A6=2.6276E-06,A8=6.8134E-07
A10=3.5227E-08,A12=0
【００６０】
図３４から図３７は、球面収差，非点収差，歪曲収差，色収差を示す。非点収差，歪曲収差，色収差は何れも4.27である。また、図３８から図４０は、第８面，第９面，第２面の光軸中心から周辺にかけての曲率の変化を示す。第５実施形態の特徴は、第１実施形態と同様である。
【００６１】
（第６実施形態）
図４１は、結像光学系６を示している。結像光学系６の仕様は、
全焦点距離：4.000mm，Ｆナンバー：1.62，半画角：60°,像高：4.23mm,
バックフォーカス：5.140mm,レンズ全長：25.903mmである。
【００６２】
次に、第６実施形態の数値データを示す。各単位は［ｍｍ］である。
面データ
面番号      曲率半径ｒ    面間隔d    屈折率Nd    アッベ数Vd    有効径
1*         280.266        1.588        1.545        56.003      14.79
2*           4.449        4.625                                  9.30
3*          -8.235        3.351        1.640        23.529      6.57
4*          -7.042        1.469                                  6.25
5（絞り）   Infinity     -0.006 
6*           8.420        2.982        1.545        56.003      6.30
7*          -5.395        1.776                                  6.73
8*          -4.387        0.786        1.661        20.373      6.09
9*           7.531        0.192                                  7.57
10*          7.509        3.864        1.729        54.041      8.62
11*         -5.340        1.000                                  9.08
12          Infinity      0.400        1.517        64.167      8.95
13          Infinity      3.876                                  8.93
【００６３】
単レンズデータ
｜ｆ１｜／ｆ          2.08
ｆ２／ｆ              9.06
｜ｆ４｜／ｆ          1.02
｜（ｄｎ／ｄＴ）３｜ 95.97E-06
｜（ｄｎ／ｄＴ）５｜  2.69E-06
ｄ１２／ｆ            1.16
｜ｆ１｜／ｆは（１）式を、ｆ２／ｆは（３）式を、｜ｆ４｜／ｆは（５）式をそれぞれ満たしている。また、｜（ｄｎ／ｄＴ）3｜は（７）式を満たしていないが、
｜（ｄｎ／ｄＴ）5｜は（１０）式を満たしている。
【００６４】
非球面データ
第１面
k=0,A4=-8.1862E-05,A6=-1.8806E-07,A8=2.9186E-08
A10=-2.5925E-10,A12=0
第２面
k=-8.4715E-01,A4=1.2814E-04,A6=-8.0778E-06,A8=-3.7053E-07
A10=-4.5501E-08,A12=0
第３面
k=0,A4=-1.6365E-03,A6=-2.4681E-05,A8=3.7055E-06
A10=9.0557E-10,A12=0
第４面
k=0,A4=1.0714E-03,A6=2.2496E-05,A8=-1.5676E-06
A10=5.5122E-07,A12=0
第６面
k=0,A4=1.3421E-03,A6=-4.8782E-05,A8=3.6941E-06
A10=-7.1523E-07,A12=0
第７面
k=0,A4=1.4254E-03,A6=-7.7108E-05,A8=9.8131E-06
A10=-8.3758E-07,A12=0
第８面
k=0,A4=-9.3875E-04,A6=-1.0546E-04,A8=1.8100E-05
A10=-4.7672E-07,A12=0
第９面
k=0,A4=-2.9962E-03,A6=7.1188E-05,A8=2.9040E-06
A10=-1.4151E-07,A12=0
第１０面
k=0,A4=-1.6684E-03,A6=4.1794E-05,A8=5.1532E-07
A10=-4.9204E-08,A12=0
第１１面
k=0,A4=1.6534E-03,A6=1.3840E-05,A8=1.9147E-06
A10=-2.7194E-08,A12=0
【００６５】
図４２から図４５は、球面収差，非点収差，歪曲収差，色収差を示す。また、図４６から図４８は、第８面，第９面，第２面の光軸中心から周辺にかけての曲率の変化を示す。第６実施形態の特徴は、第２実施形態と同様である。
【００６６】
（第７実施形態）
図４９は、結像光学系７を示している。結像光学系７の仕様は、
全焦点距離：4.000mm，Ｆナンバー：1.61，半画角：60°,像高：4.28mm
バックフォーカス：5.955mm,レンズ全長：26.602mmである。
【００６７】
次に、第７実施形態の数値データを示す。
面データ
面番号      曲率半径ｒ    面間隔d    屈折率Nd    アッベ数Vd    有効径
1*           9.370        1.448        1.545        56.003      13.18
2*           2.369        4.603                                  7.34
3*         -60.000        3.512        1.640        23.529      7.06
4*         -22.000        0.929                                  5.89
5（絞り）   Infinity     -0.006 
6*          12.590        2.800        1.545        56.003      6.24
7*          -5.998        2.448                                  6.99
8*         -34.515        0.792        1.661        20.373      7.41
9*           6.294        0.147                                  8.53
10*          9.120        3.836        1.729        54.041      9.39
11*         -7.260        1.000                                  9.28
12          Infinity      0.400        1.517        64.167      9.29
13          Infinity      4.691                                  9.29
【００６８】
単レンズデータ
｜ｆ１｜／ｆ          1.57
ｆ２／ｆ             13.10
｜ｆ４｜／ｆ          2.00
｜（ｄｎ／ｄＴ）3｜  95.97E-06
｜（ｄｎ／ｄＴ）5｜   2.69E-06
ｄ１２／ｆ            1.15
｜ｆ１｜／ｆは（２）式を、ｆ２／ｆは（３）式を、｜ｆ４｜／ｆは（５）式をそれぞれ満たしている。また、｜（ｄｎ／ｄＴ）3｜は（７）式を満たしていないが、
｜（ｄｎ／ｄＴ）5｜は（１０）式を満たしている。
【００６９】
非球面データ
第１面
k=0,A4=-1.8043E-03,A6=2.3151E-05,A8=-1.9047E-07
A10=4.5682E-10,A12=0
第２面
k=-7.0900E-01,A4=-2.7150E-04,A6=-2.9852E-05,A8=-3.4408E-06
A10=-2.6081E-08,A12=0
第３面
k=0,A4=1.6657E-03,A6=-2.6535E-05,A8=1.1765E-06
A10=3.4390E-08,A12=0
第４面
k=0,A4=2.9131E-03,A6=-9.1908E-05,A8=3.7752E-06
A10=4.9204E-07,A12=0
第６面
k=0,A4=1.3008E-03,A6=-1.8359E-04,A8=7.5199E-06
A10=-2.3657E-07,A12=0
第７面
k=0,A4=3.1346E-05,A6=-5.6377E-05,A8=3.0739E-06
A10=-1.9322E-07,A12=0
第８面
k=0,A4=-4.0814E-03,A6=1.3562E-04,A8=-5.7036E-06
A10=2.5546E-07,A12=0
第９面
k=0,A4=-2.3397E-03,A6=6.4467E-05,A8=-3.5648E-06
A10=7.2680E-08,A12=0
第１０面
k=0,A4=8.1335E-04,A6=-9.5359E-05,A8=3.3771E-06
A10=-2.5693E-08,A12=0
第１１面
k=0,A4=4.0549E-04,A6=1.1118E-05,A8=-2.8848E-07
A10=6.2968E-08,A12=0
【００７０】
図５０から図５３は、球面収差，非点収差，歪曲収差，色収差を示す。また、図５４から図５６は、第８面，第９面，第２面の光軸中心から周辺にかけての曲率の変化を示す。第７実施形態の特徴も、第２実施形態と同様である。
【００７１】
（第８実施形態）
図５７は、結像光学系８を示している。結像光学系８の仕様は、
全焦点距離：4.013mm，Ｆナンバー：1.61，半画角：60°,像高：4.22mm,
バックフォーカス：6.444mm,レンズ全長：26.620mmである。
【００７２】
次に、第８実施形態の数値データを示す。
面データ
面番号      曲率半径ｒ    面間隔d    屈折率Nd    アッベ数Vd    有効径
1*          15.215        1.287        1.545        56.003      12.35
2*           2.866        4.507                                  7.60
3*         -16.229        3.234        1.640        23.529      7.60
4*          -6.896        1.949                                  7.60
5（絞り）   Infinity      0.151
6*          22.456        2.611        1.545        56.003      6.46
7*          -5.268        1.000                                  6.46
8*         -15.084        0.783        1.661        20.373      6.27
9*           4.775        0.399                                  7.79
10*          8.820        4.118        1.729        54.041      8.55
11*         -6.462        1.000                                  9.12
12          Infinity      0.400        1.517        64.167      9.50
13          Infinity      5.181                                  9.50
【００７３】
単レンズデータ
｜ｆ１｜／ｆ          1.68
ｆ２／ｆ              4.11
｜ｆ４｜／ｆ          1.35
｜（ｄｎ／ｄＴ）3｜  95.97E-06
｜（ｄｎ／ｄＴ）5｜   2.69E-06
ｄ１２／ｆ            1.12
｜ｆ１｜／ｆは（２）式を、ｆ２／ｆは（４）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００７４】
非球面データ
第１面
k=0,A4=-1.2572E-03,A6=2.3537E-05,A8=-2.9856E-07
A10=2.3939E-09,A12=-8.1881E-12
第２面
k=-6.4715E-01,A4=-6.6347E-04,A6=-7.1704E-05,A8=3.0129E-07
A10=-2.9675E-08,A12=-6.5526E-09
第３面
k=0,A4=-1.2434E-04,A6=-1.3208E-04,A8=1.5144E-05
A10=-1.4119E-06,A12=4.4618E-08
第４面
k=0,A4=1.3377E-03,A6=-1.0639E-04,A8=7.3776E-06
A10=-4.4391E-07,A12=1.3519E-08
第６面
k=0,A4=2.2496E-03,A6=-8.7137E-05,A8=-2.1379E-05
A10=3.1947E-06,A12=-2.0226E-07
第７面
k=0,A4=5.3452E-03,A6=-6.4185E-04,A8=4.3158E-05
A10=-1.3533E-06,A12=-2.9104E-08
第８面
k=0,A4=-2.1869E-03,A6=-5.6179E-04,A8=8.4609E-05
A10=-5.1024E-06,A12=8.9514E-08
第９面
k=0,A4=-8.0786E-03,A6=4.0900E-04,A8=-1.0957E-05
A10=-1.6979E-07,A12=5.2316E-09
第１０面
k=0,A4=-1.1686E-03,A6=2.9919E-05,A8=-5.9265E-07
A10=1.6249E-10,A12=4.9586E-10
第１１面
k=0,A4=6.6352E-04,A6=-8.7906E-06,A8=1.8748E-06
A10=-1.3134E-07,A12=3.4329E-09
【００７５】
図５８から図６１は、球面収差，非点収差，歪曲収差，色収差を示す。また、図６２か
ら図６４は、第８面，第９面，第２面の光軸中心から周辺にかけての曲率の変化を示す。第４レンズＬ４の物体側の曲率の変化曲線には、変曲点が無い。この点を除いて、第８実施形態の特徴は、第２実施形態と同様である。
【００７６】
（第８実施形態（Ｌ））
図６５は、結像光学系８（Ｌ）を示している。第８実施形態（Ｌ）は，第８実施形態の結像光学系８を−４０℃の環境下においた場合を示す。結像光学系８（Ｌ）の仕様は、全焦点距離：4.012mm，Ｆナンバー：1.61，半画角：60°,像高：4.22mm,
バックフォーカス：6.436mm,レンズ全長：26.559mmである。
【００７７】
次に、第８実施形態（Ｌ）の数値データを示す。
面データ
面番号      曲率半径ｒ    面間隔d    屈折率Nd    アッベ数Vd    有効径
1*          15.158        1.282        1.545        56.003      12.30
2*           2.855        4.492                                  7.57
3*         -16.160        3.220        1.640        23.529      7.57
4*          -6.866        1.951                                  7.57
5（絞り）   Infinity      0.151
6*          22.373        2.601        1.545        56.003      6.44
7*          -5.248        0.999                                  6.44
8*         -15.020        0.780        1.661        20.373      6.24
9*           4.755        0.395                                  7.76
10*          8.817        4.117        1.729        54.041      8.55
11*         -6.460        0.998                                  9.12
12          Infinity      0.400        1.517        64.167      9.50
13          Infinity      5.175                                  9.50
【００７８】
単レンズデータ
｜ｆ１｜／ｆ          1.66
ｆ２／ｆ              4.05
｜ｆ４｜／ｆ          1.33
｜（ｄｎ／ｄＴ）3｜  95.97E-06
｜（ｄｎ／ｄＴ）5｜   2.69E-06
ｄ１２／ｆ            1.12
｜ｆ１｜／ｆは（２）式を、ｆ２／ｆは（４）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００７９】
非球面データ
第１面
k=0,A4=-1.2713E-03,A6=2.3979E-05,A8=-3.0645E-07
A10=2.4756E-09,A12=-8.5308E-12
第２面
k=-6.4715E-01,A4=-6.7093E-04,A6=-7.3053E-05,A8=3.0925E-07
A10=-3.0688E-08,A12=-6.8268E-09
第３面
k=0,A4=-1.2594E-04,A6=-1.3493E-04,A8=1.5603E-05
A10=-1.4672E-06,A12=4.6763E-08
第４面
k=0,A4=1.3549E-03,A6=-1.0868E-04,A8=7.6014E-06
A10=-4.6129E-07,A12=1.4169E-08
第６面
k=0,A4=2.2749E-03,A6=-8.8776E-05,A8=-2.1944E-05
A10=3.3037E-06,A12=-2.1072E-07
第７面
k=0,A4=5.4053E-03,A6=-6.5392E-04,A8=4.4299E-05
A10=-1.3994E-06,A12=-3.0322E-08
第８面
k=0,A4=-2.2151E-03,A6=-5.7391E-04,A8=8.7175E-05
A10=-5.3023E-06,A12=9.3817E-08
第９面
k=0,A4=-8.1827E-03,A6=4.1782E-04,A8=-1.1289E-05
A10=-1.7644E-07,A12=5.4831E-09
第１０面
k=0,A4=-1.1698E-03,A6=2.9974E-05,A8=-5.9417E-07
A10=1.6302E-10,A12=4.9787E-10
第１１面
k=0,A4=6.6425E-04,A6=-8.8067E-06,A8=1.8796E-06
A10=-1.3177E-07,A12=3.4468E-09
【００８０】
図６６から図６９は、球面収差，非点収差，歪曲収差，色収差を示す。また、図７０から図７２は、第８面，第９面，第２面の光軸中心から周辺にかけての曲率の変化を示す。
【００８１】
（第８実施形態（Ｈ））
図７３は、結像光学系８（Ｈ）を示している。第８実施形態（Ｈ）は，第８実施形態の結像光学系８を１０５℃の環境下においた場合を示す。結像光学系８（Ｈ）の仕様は、
全焦点距離：4.021mm，Ｆナンバー：1.61，半画角：60°,像高：4.23mm
バックフォーカス：6.456mm,レンズ全長：26.706mmである。
【００８２】
次に、第８実施形態（Ｈ）の数値データを示す。
面データ
面番号      曲率半径ｒ    面間隔d    屈折率Nd    アッベ数Vd    有効径
1*          15.295        1.294        1.545        56.003      12.42
2*           2.881        4.530                                  7.64
3*         -16.327        3.253        1.640        23.529      7.65
4*          -6.937        1.947                                  7.65
5（絞り）   Infinity      0.151
6*          22.575        2.625        1.545        56.003      6.49
7*          -5.295        1.001                                  6.49
8*         -15.175        0.788        1.661        20.373      6.31
9*           4.804        0.406                                  7.84
10*          8.825        4.120        1.729        54.041      8.55
11*         -6.466        1.003                                  9.12
12          Infinity      0.400        1.517        64.167      9.51
13          Infinity      5.189                                  9.51
【００８３】
単レンズデータ
｜ｆ１｜／ｆ          1.71
ｆ２／ｆ              4.20
｜ｆ４｜／ｆ          1.37
｜（ｄｎ／ｄＴ）3｜  95.97E-06
｜（ｄｎ／ｄＴ）5｜   2.69E-06
ｄ１２／ｆ            1.13
｜ｆ１｜／ｆは（２）式を、ｆ２／ｆは（４）式を、｜ｆ４｜／ｆは（６）式をそれぞれ満たしている。また、｜（ｄｎ／ｄＴ）3｜は（７）式を満たしていないが、
｜（ｄｎ／ｄＴ）5｜は（１０）式を満たしている。
【００８４】
非球面データ
第１面
k=0,A4=-1.2375E-03,A6=2.2926E-05,A8=-2.8777E-07
A10=2.2833E-09,A12=-7.7281E-12
第２面
k=-6.4715E-01,A4=-6.5309E-04,A6=-6.9844E-05,A8=2.9041E-07
A10=-2.8304E-08,A12=-6.1845E-09
第３面
k=0,A4=-1.2212E-04,A6=-1.2817E-04,A8=1.4519E-05
A10=-1.3375E-06,A12=4.1760E-08
第４面
k=0,A4=1.3137E-03,A6=-1.0324E-04,A8=7.0733E-06
A10=-4.2051E-07,A12=1.2653E-08
第６面
k=0,A4=2.2144E-03,A6=-8.4877E-05,A8=-2.0607E-05
A10=3.0471E-06,A12=-1.9090E-07
第７面
k=0,A4=5.2616E-03,A6=-6.2520E-04,A8=4.1599E-05
A10=-1.2907E-06,A12=-2.7469E-08
第８面
k=0,A4=-2.1478E-03,A6=-5.4514E-04,A8=8.1119E-05
A10=-4.8335E-06,A12=8.3781E-08
第９面
k=0,A4=-7.9341E-03,A6=3.9688E-04,A8=-1.0505E-05
A10=-1.6084E-07,A12=4.8966E-09
第１０面
k=0,A4=-1.1667E-03,A6=2.9842E-05,A8=-5.9050E-07
A10=1.6173E-10,A12=4.9304E-10
第１１面
k=0,A4=6.6249E-04,A6=-8.7679E-06,A8=1.8680E-06
A10=-1.3073E-07,A12=3.4134E-09
【００８５】
図７４から図７７は、球面収差，非点収差，歪曲収差，色収差を示す。また、図７８から図８０は、第８面，第９面，第２面の光軸中心から周辺にかけての曲率の変化を示す。
【００８６】
以上のように第８実施形態，第８実施形態（Ｌ），第８実施形態（Ｈ）で示したように、第５レンズＬ５の屈折率温度係数｜（ｄｎ／ｄＴ）5｜が少なくとも（１０）式を満たすことで、ガラスレンズを１枚のみとしながら、温度が−４０度〜１０５度の範囲で変化しても光学性能の変化が少なく、温度特性に優れた光学系が得られている。
【００８７】
（第９実施形態）
図８１は、結像光学系９を示している。結像光学系９の仕様は、
全焦点距離：4.056mm，Ｆナンバー：1.60，半画角：60°,像高：4.02mm,
バックフォーカス：7.217mm,レンズ全長：26.669mmである。
【００８８】
次に、第９実施形態の数値データを示す。
面データ
面番号      曲率半径ｒ    面間隔d    屈折率Nd    アッベ数Vd    有効径
1*          62.790        1.234        1.545        56.003      12.35
2*           3.044        4.570                                  6.46
3*         -14.213        3.057        1.640        23.529      6.65
4*          -6.786        0.366                                  7.03
5（絞り）   Infinity      2.389
6*          12.691        2.498        1.488        70.319      6.84
7*          -6.343        0.363                                  6.84
8*         -18.158        0.741        1.661        20.373      6.84
9*           7.465        0.126                                  7.79
10*          6.826        3.970        1.545        56.003      8.55
11*         -8.111        1.000                                  8.55
12          Infinity      0.400        1.517        64.167      9.50
13          Infinity      5.953                                  9.50
【００８９】
単レンズデータ
｜ｆ１｜／ｆ          1.46
ｆ２／ｆ              4.31
｜ｆ４｜／ｆ          1.95
｜（ｄｎ／ｄＴ）3｜   3.3E-06
｜（ｄｎ／ｄＴ）5｜  95.97E-06
ｄ１２／ｆ            1.13
【００９０】
｜ｆ１｜／ｆは（１）式を、ｆ２／ｆは（４）式を、｜ｆ４｜／ｆは（５）式をそれぞれ満たしている。また、｜（ｄｎ／ｄＴ）3｜は（８）式を満たしているが、
｜（ｄｎ／ｄＴ）5｜は（９）式を満たしていない。
【００９１】
非球面データ
第１面
k=0,A4=-2.3460E-05,A6=-7.2892E-06,A8=2.4714E-07
A10=-3.4696E-09,A12=1.6649E-11
第２面
k=-2.7937E-01,A4=6.2627E-05,A6=-5.6284E-05,A8=6.9258E-06
A10=-1.1017E-06,A12=3.5792E-08
第３面
k=0,A4=-8.6192E-04,A6=-3.7998E-05,A8=1.1386E-05
A10=-1.2583E-06,A12=7.3999E-08
第４面
k=0,A4=-1.0240E-04,A6=-2.6869E-05,A8=4.3624E-06
A10=-3.0724E-07,A12=1.0837E-08
第６面
k=0,A4=-2.5954E-04,A6=-1.0938E-05,A8=-4.0320E-07
A10=-2.7673E-08,A12=-4.6972E-09
第７面
k=0,A4=4.8869E-04,A6=5.4095E-06,A8=-5.9860E-07
A10=-4.9166E-08,A12=-2.3986E-09
第８面
k=0,A4=-1.1122E-04,A6=-4.6616E-06,A8=-2.8878E-07
A10=-2.3409E-08,A12=1.0840E-09
第９面
k=-4.7424E-01,A4=1.5236E-05,A6=-1.5664E-05,A8=-1.1597E-07
A10=-4.0332E-09,A12=-1.6574E-09
第１０面
k=0,A4=-5.4181E-04,A6=-1.6143E-05,A8=2.0435E-06
A10=-1.1142E-07,A12=1.6845E-09
第１１面
k=0,A4=3.2078E-04,A6=5.7416E-07,A8=3.5488E-07
A10=1.8972E-08,A12=1.9940E-10
【００９２】
図８２から図８５は、球面収差，非点収差，歪曲収差，色収差を示す。また、図８６から図８８は、第８面，第９面，第２面の光軸中心から周辺にかけての曲率の変化を示す。第９実施形態は、第４レンズＬ４の像面側の曲率の変化曲線に変曲点が無い点と、｜（ｄｎ／ｄＴ）3｜が（８）式を満たし、｜（ｄｎ／ｄＴ）5｜が（９）式を満たしていない点とを除いて、第８実施形態と同様である。
【００９３】
（第９実施形態（Ｌ））
図８９は、結像光学系９（Ｌ）を示している。第９実施形態（Ｌ）は，第９実施形態の結像光学系９を−４０℃の環境下においた場合を示す。結像光学系９（Ｌ）の仕様は、
全焦点距離：4.020mm，Ｆナンバー：1.58，半画角：60°,像高：3.99mm,
バックフォーカス：7.212mm,レンズ全長：26.611mmである。
【００９４】
次に、第９実施形態（Ｌ）の数値データを示す。
面データ
面番号      曲率半径ｒ    面間隔d    屈折率Nd    アッベ数Vd    有効径
1*          62.556        1.230        1.545        56.003      12.30
2*           3.033        4.556                                  6.44
3*         -14.152        3.044        1.640        23.529      6.62
4*          -6.757        0.369                                  7.00
5（絞り）   Infinity      2.387
6*          12.684        2.497        1.488        70.319      6.84
7*          -6.340        0.361                                  6.84
8*         -18.081        0.738        1.661        20.373      6.81
9*           7.433        0.127                                  7.76
10*          6.801        3.955        1.545        56.003      8.52
11*         -8.081        1.002                                  8.52
12          Infinity      0.400        1.517        64.167      9.50
13          Infinity      5.947                                  9.50
【００９５】
単レンズデータ
｜ｆ１｜／ｆ          1.45
ｆ２／ｆ              4.29
｜ｆ４｜／ｆ          1.94
｜（ｄｎ／ｄＴ）3｜   3.3E-06
｜（ｄｎ／ｄＴ）5｜  95.97E-06
ｄ１２／ｆ            1.13
｜ｆ１｜／ｆは（１）式を、ｆ２／ｆは（４）式を、｜ｆ４｜／ｆは（５）式をそれぞ
れ満たしている。また、｜（ｄｎ／ｄＴ）3｜は（８）式を満たしているが、
｜（ｄｎ／ｄＴ）5｜は（９）式を満たしていない。
【００９６】
非球面データ
第１面
k=0,A4=-2.3724E-05,A6=-7.4263E-06,A8=2.5367E-07
A10=-3.5879E-09,A12=1.7346E-11
第２面
k=-2.7937E-01,A4=6.3332E-05,A6=-5.7342E-05,A8=7.1088E-06
A10=-1.1393E-06,A12=3.7290E-08
第３面
k=0,A4=-8.7303E-04,A6=-3.8817E-05,A8=1.1731E-05
A10=-1.3076E-06,A12=7.7556E-08
第４面
k=0,A4=-1.0372E-04,A6=-2.7449E-05,A8=4.4948E-06
A10=-3.1927E-07,A12=1.1358E-08
第６面
k=0,A4=-2.5995E-04,A6=-1.0967E-05,A8=-4.0471E-07
A10=-2.7806E-08,A12=-4.7249E-09
第７面
k=0,A4=4.8948E-04,A6=5.4239E-06,A8=-6.0084E-07
A10=-4.9402E-08,A12=-2.4127E-09
第８面
k=0,A4=-1.1265E-04,A6=-4.7622E-06,A8=-2.9754E-07
A10=-2.4326E-08,A12=1.1361E-09
第９面
k=-4.7424E-01,A4=1.5433E-05,A6=-1.6002E-05,A8=-1.1949E-07
A10=-4.1912E-09,A12=-1.7371E-09
第１０面
k=0,A4=-5.4790E-04,A6=-1.6447E-05,A8=2.0975E-06
A10=-1.1522E-07,A12=1.7549E-09
第１１面
k=0,A4=3.2439E-04,A6=5.8496E-07,A8=3.6426E-07
A10=1.9619E-08,A12=2.0775E-10
【００９７】
図９０から図９３は、球面収差，非点収差，歪曲収差，色収差を示す。また、図９４から図９６は、第８面，第９面，第２面の光軸中心から周辺にかけての曲率の変化を示す。
【００９８】
（第９実施形態（Ｈ））
図９７は、結像光学系９（Ｈ）を示している。第９実施形態（Ｈ）は，第９実施形態の結像光学系９を１０５℃の環境下においた場合を示す。結像光学系９（Ｈ）の仕様は、
全焦点距離：4.116mm，Ｆナンバー：1.62，半画角：60°,像高：4.08mm
バックフォーカス：7.224mm,レンズ全長：26.750mmである。
【００９９】
次に、第９実施形態（Ｈ）の数値データを示す。
面データ
面番号      曲率半径ｒ    面間隔d    屈折率Nd    アッベ数Vd    有効径
1*          63.120        1.241        1.545        56.003      12.42
2*           3.060        4.591                                  6.49
3*         -14.298        3.075        1.640        23.529      6.69
4*         -6.827         0.361                                  7.07
5（絞り）   Infinity      2.393
6*          12.701        2.500        1.488        70.319      6.85
7*          -6.348        0.367                                  6.85
8*         -18.268        0.745        1.661        20.373      6.88
9*           7.510        0.125                                  7.84
10*          6.862        3.991        1.545        56.003      8.60
11*         -8.154        0.997                                  8.60
12          Infinity      0.400        1.517        64.167      9.51
13          Infinity      5.962                                  9.51
【０１００】
単レンズデータ
｜ｆ１｜／ｆ          1.47
ｆ２／ｆ              4.34
｜ｆ４｜／ｆ          1.96
｜（ｄｎ／ｄＴ）3｜    3.3E-06
｜（ｄｎ／ｄＴ）5｜   95.97E-06
ｄ１２／ｆ            1.12
｜ｆ１｜／ｆは（１）式を、ｆ２／ｆは（４）式を、｜ｆ４｜／ｆは（５）式をそれぞれ満たしている。また、｜（ｄｎ／ｄＴ）3｜は（８）式を満たしているが、
｜（ｄｎ／ｄＴ）5｜は（９）式を満たしていない。
【０１０１】
非球面データ
第１面
k=0,A4=-2.3093E-05,A6=-7.1001E-06,A8=2.3821E-07
A10=-3.3092E-09,A12=1.5714E-11
第２面
k=-2.7937E-01,A4=6.1648E-05,A6=-5.4824E-05,A8=6.6756E-06
A10=-1.0508E-06,A12=3.3781E-08
第３面
k=0,A4=-8.4650E-04,A6=-3.6871E-05,A8=1.0916E-05
A10=-1.1920E-06,A12=6.9259E-08
第４面
k=0,A4=-1.0057E-04,A6=-2.6073E-05,A8=4.1825E-06
A10=-2.9104E-07,A12=1.0143E-08
第６面
k=0,A4=-2.5895E-04,A6=-1.0896E-05,A8=-4.0107E-07
A10=-2.7485E-08,A12=-4.6583E-09
第７面
k=0,A4=4.8759E-04,A6=5.3891E-06,A8=-5.9544E-07
A10=-4.8832E-08,A12=-2.3787E-09
第８面
k=0,A4=-1.0923E-04,A6=-4.5235E-06,A8=-2.7687E-07
A10=-2.2175E-08,A12=1.0146E-09
第９面
k=-4.7424E-01,A4=1.4964E-05,A6=-1.5200E-05,A8=-1.1119E-07
A10=-3.8206E-09,A12=-1.5513E-09
第１０面
k=0,A4=-5.3333E-04,A6=-1.5725E-05,A8=1.9697E-06
A10=-1.0627E-07,A12=1.5898E-09
第１１面
k=0,A4=3.1576E-04,A6=5.5927E-07,A8=3.4206E-07
A10=1.8096E-08,A12=1.8820E-10
【０１０２】
図９８から図１０１は、球面収差，非点収差，歪曲収差，色収差を示す。また、図１０２から図１０４は、第８面，第９面，第２面の光軸中心から周辺にかけての曲率の変化を示す。
【０１０３】
以上のように第９実施形態，第９実施形態（Ｌ），第９実施形態（Ｈ）で示したように、第３レンズＬ３の屈折率温度係数｜（ｄｎ／ｄＴ）3｜が少なくとも（８）式を満たすことで、ガラスレンズを１枚のみとしながら、温度が−４０度〜１０５度の範囲で変化しても光学性能の変化が少なく、温度特性に優れた光学系が得られている。
【０１０４】
（第１０実施形態）
図１０５は、結像光学系１０を示している。結像光学系１０の仕様は、
全焦点距離：4.011mm，Ｆナンバー：1.59，半画角：60°,像高：4.26mm,
バックフォーカス：6.558mm,レンズ全長：26.496mmである。
【０１０５】
次に、第１０実施形態の数値データを示す。
面データ
面番号      曲率半径ｒ    面間隔d    屈折率Nd    アッベ数Vd    有効径
1*          23.463        0.979        1.545        56.003      11.78
2*           3.340        4.200                                  7.33
3*         -10.363        3.517        1.640        23.529      6.84
4*          -6.164        1.689                                  7.03
5（絞り）   Infinity      0.876
6*          70.245        2.278        1.545        56.003      5.70
7*          -5.105        1.257                                  6.08
8*         -20.432        0.808        1.661        20.373      6.27
9*           5.143        0.328                                  7.41
10*         10.272        3.869        1.729        54.041      8.36
11*         -6.424        1.000                                  8.93
12          Infinity      0.400        1.517        64.167      9.50
13          Infinity      5.295                                  9.50
【０１０６】
単レンズデータ
｜ｆ１｜／ｆ          1.81
ｆ２／ｆ              4.47
｜ｆ４｜／ｆ          1.53
｜（ｄｎ／ｄＴ）3｜  95.97E-06
｜（ｄｎ／ｄＴ）5｜   2.69E-06
ｄ１２／ｆ            1.05
｜ｆ１｜／ｆは（２）式を、ｆ２／ｆは（４）式を、｜ｆ４｜／ｆは（５）式をそれぞれ満たしている。また、｜（ｄｎ／ｄＴ）3｜は（７）式を満たしていないが、
｜（ｄｎ／ｄＴ）5｜は（１０）式を満たしている。
【０１０７】
非球面データ
第１面
k=0,A4=-7.5578E-04,A6=1.6377E-05,A8=-2.2919E-07
A10=2.0019E-09,A12=-6.2166E-12
第２面
k=-5.4675E-01,A4=-5.4637E-04,A6=-4.2836E-05,A8=8.1495E-07
A10=-4.6487E-08,A12=-2.1647E-09
第３面
k=0,A4-4.7217E-04,A6=-6.4210E-05,A8=8.0495E-06
A10=-7.5142E-07,A12=2.4517E-08
第４面
k=0,A4=1.5042E-03,A6=-7.0447E-05,A8=6.1523E-06
A10=-3.7593E-07,A12=1.1078E-08
第６面
k=0,A4=2.5719E-03,A6=-1.2333E-04,A8=-2.1866E-05
A10=3.2237E-06,A12=-2.0878E-07
第７面
k=0,A4=4.8175E-03,A6=-4.5757E-04,A8=1.7513E-05
A10=4.1502E-07,A12=-7.6825E-08
第８面
k=0,A4=-3.2566E-03,A6=-3.0174E-04,A8=5.1529E-05
A10=-2.1662E-06,A12=4.1519E-09
第９面
k=0,A4=-7.7576E-03,A6=4.2145E-04,A8=-1.3074E-05
A10=3.0713E-07,A12=-1.2634E-08
第１０面
k=0,A4=-5.0593E-04,A6=1.3262E-05,A8=-3.2298E-07
A10=6.5001E-08,A12=-2.4534E-09
第１１面
k=0,A4=7.9328E-04,A6=1.7344E-06,A8=1.6985E-06
A10=-1.4924E-07,A12=4.3821E-09
【０１０８】
図１０６から図１０９は、球面収差，非点収差，歪曲収差，色収差を示す。また、図１１０から図１１２は、第８面，第９面，第２面の光軸中心から周辺にかけての曲率の変化を示す。第１０実施形態の特徴は、第２実施形態と同様である。
【０１０９】
（第１０実施形態（Ｌ））
図１１３は、結像光学系１０（Ｌ）を示している。第１０実施形態（Ｌ）は，第１０実施形態の結像光学系１０を−４０℃の環境下においた場合を示す。結像光学系１０（Ｌ）の仕様は、
全焦点距離：4.008mm，Ｆナンバー：1.59，半画角：60°,像高：4.26mm
バックフォーカス：6.550mm,レンズ全長：26.437mmである。
【０１１０】
次に、第１０実施形態（Ｌ）の数値データを示す。
面データ
面番号      曲率半径ｒ    面間隔d    屈折率Nd    アッベ数Vd    有効径
1*          23.376        0.975        1.545        56.003      11.74
2*           3.328        4.185                                  7.31
3*         -10.319        3.502        1.640        23.529      6.81
4*          -6.138        1.691                                  7.00
5（絞り）   Infinity      0.875
6*          69.984        2.270        1.545        56.003      5.68
7*          -5.086        1.256                                  6.06
8*         -20.345        0.805        1.661        20.373      6.24
9*           5.121        0.324                                  7.38
10*         10.268        3.868        1.729        54.041      8.36
11*         -6.422        0.998                                  8.93
12          Infinity      0.400        1.517        64.167      9.50
13          Infinity      5.289                                  9.50
【０１１１】
単レンズデータ
｜ｆ１｜／ｆ          1.79
ｆ２／ｆ              4.40
｜ｆ４｜／ｆ          1.51
｜（ｄｎ／ｄＴ）3｜  95.97E-06
｜（ｄｎ／ｄＴ）5｜   2.69E-06
ｄ１２／ｆ            1.04
｜ｆ１｜／ｆは（２）式を、ｆ２／ｆは（４）式を、｜ｆ４｜／ｆは（５）式をそれぞれ満たしている。また、｜（ｄｎ／ｄＴ）3｜は（８）式を満たしていないが、
｜（ｄｎ／ｄＴ）5｜は（９）式を満たしている。
【０１１２】
非球面データ
第１面
k=0,A4=-7.6427E-04,A6=1.6685E-05,A8=-2.3525E-07
A10=2.0702E-09,A12=-6.4768E-12
第２面
k=-5.4675E-01,A4=-5.5251E-04,A6=-4.3642E-05,A8=8.3649E-07
A10=-4.8073E-08,A12=-2.2553E-09
第３面
k=0,A4=-4.7826E-04,A6=-6.5595E-05,A8=8.2937E-06
A10=-7.8086E-07,A12=2.5695E-08
第４面
k=0,A4=1.5236E-03,A6=-7.1967E-05,A8=6.3389E-06
A10=-3.9065E-07,A12=1.1611E-08
第６面
k=0,A4=2.6008E-03,A6=-1.2565E-04,A8=-2.2444E-05
A10=3.3336E-06,A12=-2.1751E-07
第７面
k=0,A4=4.8717E-03,A6=-4.6617E-04,A8=1.7976E-05
A10=4.2918E-07,A12=-8.0040E-08
第８面
k=0,A4=-3.2985E-03,A6=-3.0825E-04,A8=5.3092E-05
A10=-2.2510E-06,A12=4.3515E-09
第９面
k=0,A4=-7.8576E-03,A6=4.3054E-04,A8=-1.3470E-05
A10=3.1916E-07,A12=-1.3242E-08
第１０面
k=0,A4=-5.0648E-04,A6=1.3286E-05,A8=-3.2381E-07
A10=6.5215E-08,A12=-2.4633E-09
第１１面
k=0,A4=7.9415E-04,A6=1.7376E-06,A8=1.7029E-06
A10=-1.4974E-07,A12=4.3998E-09
【０１１３】
図１１４から図１１７は、球面収差，非点収差，歪曲収差，色収差を示す。また、図１１８から図１２０は、第８面，第９面，第２面の光軸中心から周辺にかけての曲率の変化を示す。
【０１１４】
（第１０実施形態（Ｈ））
図１２１は、結像光学系１０（Ｈ）を示している。第１０実施形態（Ｈ）は、第１０実施形態の結像光学系１０を１０５℃の環境下においた場合を示す。結像光学系１０（Ｈ）の仕様は、
全焦点距離：4.022mm，Ｆナンバー：1.60，半画角：60°,像高：4.27mm,
バックフォーカス：6.570mm,レンズ全長：26.578mmである。
【０１１５】
次に、第１０実施形態（Ｈ）の数値データを示す。
面データ
面番号      曲率半径ｒ    面間隔d    屈折率Nd    アッベ数Vd    有効径
1*          23.587        0.984        1.545        56.003      11.84
2*           3.358        4.221                                  7.37
3*         -10.426        3.538        1.640        23.529      6.88
4*          -6.201        1.686                                  7.07
5（絞り）   Infinity      0.877
6*          70.615        2.290        1.545        56.003      5.73
7*          -5.132        1.258                                  6.11
8*         -20.555        0.813        1.661        20.373      6.31
9*           5.174        0.334                                  7.45
10*         10.277        3.871        1.729        54.041      8.36
11*         -6.427        1.003                                  8.93
12          Infinity      0.400        1.517        64.167      9.51
13          Infinity      5.303                                  9.51
【０１１６】
単レンズデータ
｜ｆ１｜／ｆ          1.85
ｆ２／ｆ              4.56
｜ｆ４｜／ｆ          1.56
｜（ｄｎ／ｄＴ）3｜  95.97E-06
｜（ｄｎ／ｄＴ）5｜   2.69E-06
ｄ１２／ｆ            1.05
｜ｆ１｜／ｆは（２）式を、ｆ２／ｆは（４）式を、｜ｆ４｜／ｆは（５）式をそれぞれ満たしている。また、｜（ｄｎ／ｄＴ）3｜は（８）式を満たしていないが、
｜（ｄｎ／ｄＴ）5｜は（９）式を満たしている。
【０１１７】
非球面データ
第１面
k=0,A4=-7.4395E-04,A6=1.5952E-05,A8=-2.2091E-07
A10=1.9094E-09,A12=-5.8674E-12
第２面
k=-5.4675E-01,A4=-5.3782E-04 ,A6=-4.1725E-05,A8=7.8551E-07
A10=-4.4339E-08,A12=-2.0431E-09
第３面
k=0,A4=-4.6372E-04,A6=-6.2307E-05,A8=7.7175E-06
A10=-7.1181E-07,A12=2.2947E-08
第４面
k=0,A4=1.4773E-03,A6=-6.8359E-05,A8=5.8986E-06
A10=-3.5611E-07,A12=1.0369E-08
第６面
k=0,A4=2.5317E-03,A6=-1.2014E-04,A8=-2.1077E-05
A10=3.0747E-06,A12=-1.9705E-07
第７面
k=0,A4=4.7421E-03,A6=-4.4570E-04,A8=1.6880E-05
A10=3.9584E-07,A12=-7.2509E-08
第８面
k=0,A4=-3.1983E-03,A6=-2.9279E-04,A8=4.9403E-05
A10=-2.0520E-06,A12=3.8860E-09
第９面
k=0,A4=-7.6189E-03,A6=4.0896E-04,A8=-1.2535E-05
A10=2.9094E-07,A12=-1.1825E-08
第１０面
k=0,A4=0-5.0514E-04,A6=1.3228E-05,A8=-3.2181E-07
A10=6.4698E-08,A12=-2.4394E-09
第１１面
k=0,A4=7.9205E-04,A6=1.7299E-06,A8=1.6924E-06
A10=-1.4855E-07,A12=4.3572E-09
【０１１８】
図１２２から図１２５は、球面収差，非点収差，歪曲収差，色収差を示す。また、図１２６から図１２８は、第８面，第９面，第２面の光軸中心から周辺にかけての曲率の変化を示す。
【０１１９】
以上のように第１０実施形態，第１０実施形態（Ｌ），第１０実施形態（Ｈ）で示したように、第５レンズＬ５の屈折率温度係数｜（ｄｎ／ｄＴ）5｜が少なくとも（１０）式を満たすことで、ガラスレンズを１枚のみとしながら、温度が−４０度〜１０５度の範囲で変化しても光学性能の変化が少なく、温度特性に優れた光学系が得られている。
【０１２０】
（第１１実施形態）
図１２９は、結像光学系１１を示している。第１１実施形態の仕様は、
全焦点距離：4.000mm，Ｆナンバー：1.60，半画角：60°,像高：4.22mm,
バックフォーカス：5.221mm,レンズ全長：26.601mmである。
【０１２１】
次に、第１１実施形態の数値データを示す。
面データ
面番号      曲率半径ｒ    面間隔d    屈折率Nd    アッベ数Vd    有効径
1*          13.391        0.994        1.545        56.003      13.56
2*           3.844        4.642                                  8.67
3*          -5.403        3.521        1.640        23.529      7.43
4*          -5.890        2.119                                  6.95
5（絞り）   Infinity     -0.003 
6*          11.633        3.248        1.545        56.003      5.97
7*          -5.314        1.989                                  6.83
8*          -5.615        0.784        1.661        20.373      6.48
9*           8.661        0.167                                  8.07
10*         10.218        3.781        1.729        54.041      8.91
11*         -5.323        1.000                                  9.16
12          Infinity      0.400        1.517        64.167      9.00
13          Infinity      3.957                                  8.98
【０１２２】
単レンズデータ
｜ｆ１｜／ｆ          2.57
ｆ２／ｆ             14.03
｜ｆ４｜／ｆ          1.26
｜（ｄｎ／ｄＴ）3｜  95.97E-06
｜（ｄｎ／ｄＴ）5｜   2.69E-06
ｄ１２／ｆ            1.16
｜ｆ１｜／ｆは（１）式を、ｆ２／ｆは（３）式を、｜ｆ４｜／ｆは（６）式をそれぞれ満たしている。また、｜（ｄｎ／ｄＴ）3｜は（８）式を満たしていないが、
｜（ｄｎ／ｄＴ）5｜は（１０）式を満たしている。
【０１２３】
非球面データ
第１面
k=0,A4=-2.0364E-04,A6=-1.4801E-05,A8=3.0121E-07
A10=-1.6181E-09,A12=0
第２面
k=-1.0146,A4=1.5204E-03,A6=-3.3430E-05,A8=3.1156E-06
A10=-2.0854E-07,A12=0
第３面
k=0,A4=1.3710E-03,A6=1.3879E-05,A8=-3.7506E-06
A10=1.8475E-07,A12=0
第４面
k=0,A4=2.8105E-03,A6=-6.3837E-05,A8=2.9521E-06
A10=6.7144E-08,A12=0
第６面
k=0,A4=2.2465E-03,A6=-2.2388E-04,A8=1.3371E-05
A10=-1.1517E-06,A12=0
第７面
k=0,A4=2.0515E-03,A6=-1.7756E-04,A8=1.1770E-05
A10=-7.4248E-07,A12=0
第８面
k=0,A4=-2.4590E-03,A6=-1.3426E-04,A8=2.6215E-05
A10=-9.9455E-07,A12=0
第９面
k=0,A4=-2.5190E-03,A6=5.1974E-05,A8=2.5403E-06
A10=-1.4870E-07,A12=0
第１０面
k=0,A4=4.2435E-04,A6=-7.7845E-05,A8=4.7380E-06
A10=-1.0075E-07,A12=0
第１１面
k=0,A4=1.5972E-03 ,A6=2.3391E-05,A8=1.1978E-06
A10=1.0802E-08,A12=0
【０１２４】
図１３０から図１３３は、球面収差，非点収差，歪曲収差，色収差を示す。また、図１３４から図１３６は、第８面，第９面，第２面の光軸中心から周辺にかけての曲率の変化を示す。第１１実施形態の特徴は、第１実施形態と同様である。
【０１２５】
（第１２実施形態）
図１３７は、結像光学系１２を示している。第１２実施形態の仕様は、
全焦点距離：4.000mm，Ｆナンバー：1.62，半画角：60°,像高：4.28mm
バックフォーカス：5.573mm,レンズ全長：26.601mmである。
【０１２６】
次に、第１２実施形態の数値データを示す。
面番号      曲率半径ｒ    面間隔d    屈折率Nd    アッベ数Vd    有効径
1*           8.520        0.999        1.545        56.003      13.15
2*           2.703        4.606                                  7.99
3*          -8.335        3.504        1.640        23.529      7.02
4*          -8.972        1.659                                  6.69
5（絞り）   Infinity      0.035
6*           8.886        2.945        1.545        56.003      6.86
7*          -6.067        2.327                                  7.23
8*          -9.780        0.792        1.661        20.373      7.00
9*           5.752        0.189                                  8.45
10*          7.906        3.837        1.729        54.041      9.17
11*         -6.283        1.000                                  9.21
12          Infinity      0.400        1.517        64.167      9.17
13          Infinity      4.309                                  9.16
【０１２７】
単レンズデータ
｜ｆ１｜／ｆ          1.94
ｆ２／ｆ             40.00
｜ｆ４｜／ｆ          1.34
｜（ｄｎ／ｄＴ）3｜  95.97E-06
｜（ｄｎ／ｄＴ）5｜   2.69E-06
ｄ１２／ｆ            1.15
｜ｆ１｜／ｆは（2）式を、ｆ２／ｆは（３）式を、｜ｆ４｜／ｆは（６）式をそれぞれ満たしている。また、｜（ｄｎ／ｄＴ）3｜は（８）式を満たしていないが、
｜（ｄｎ／ｄＴ）5｜は（１０）式を満たしている。
【０１２８】
非球面データ
第１面
k=0,A4=-1.9911E-03,A6=2.5043E-05,A8=-1.4566E-07
A10=-3.9788E-10,A12=0
第２面
k=-8.5205E-01,A4=-2.7985E-05,A6=-4.3222E-05,A8=-2.0288E-06
A10=-4.2061E-08,A12=0
第３面
k=0,A4=7.7615E-05,A6=-7.1664E-05,A8=-4.1464E-06
A10=3.4915E-07,A12=0
第４面
k=0,A4=1.2105E-03,A6=-7.5522E-05,A8=3.7186E-06
A10=1.1521E-07,A12=0
第６面
k=0,A4=9.9396E-04,A6=-8.9076E-05,A8=3.4556E-06
A10=-8.8549E-08,A12=0
第７面
k=0,A4=1.5813E-03,A6=-8.5910E-05,A8=4.5166E-06
A10=-1.0933E-07,A12=0
第８面
k=0,A4=-3.2487E-03,A6=-2.5918E-05,A8=3.2929E-06
A10=9.5913E-08,A12=0
第９面
k=0,A4=-5.1713E-03,A6=2.4754E-04,A8=-9.6841E-06
A10=1.3018E-07,A12=0
第１０面
k=0,A4=-1.6997E-03,A6=8.0808E-05,A8=-2.7519E-06
A10=5.2223E-08,A12=0
第１１面
k=0,A4=7.0744E-04,A6=1.0281E-05,A8=1.3869E-07
A10=5.1146E-08,A12=0
【０１２９】
図１３８から図１４１は、球面収差，非点収差，歪曲収差，色収差を示す。また、図１４２から図１４４は、第８面，第９面，第２面の光軸中心から周辺にかけての曲率の変化を示す。第１２実施形態の特徴も、第１実施形態と同様である。
【０１３０】
（第１３実施形態）
図１４５は、結像光学系１３を示している。第１３実施形態の仕様は、
全焦点距離：4.000mm，Ｆナンバー：1.63，半画角：60°,像高：4.28mm,
バックフォーカス：6.306mm,レンズ全長：26.601mmである。
【０１３１】
次に、第１３実施形態の数値データを示す。
面データ
面番号      曲率半径ｒ    面間隔d    屈折率Nd    アッベ数Vd    有効径
1*          17.613        0.998        1.545        56.003      12.72
2*           2.824        4.409                                  7.38
3*         -11.045        3.504        1.640        23.529      6.84
4*          -6.187        1.443                                  6.85
5（絞り）   Infinity      0.166
6*          21.129        2.838        1.545        56.003      6.72
7*          -5.491        1.333                                  7.11
8*         -14.148        0.799        1.661        20.373      6.60
9*           4.948        0.261                                  8.01
10*          6.365        4.410        1.545        56.003      9.02
11*         -5.052        1.000                                  9.13
12          Infinity      0.400        1.517        64.167      8.96
13          Infinity      5.042                                  8.94
【０１３２】
単レンズデータ
｜ｆ１｜／ｆ          1.58
ｆ２／ｆ              4.29
｜ｆ４｜／ｆ          1.36
｜（ｄｎ／ｄＴ）3｜  95.97E-06
｜（ｄｎ／ｄＴ）5｜  95.97E-06
ｄ１２／ｆ            1.10
｜ｆ１｜／ｆは（２）式を、ｆ２／ｆは（４）式を、｜ｆ４｜／ｆは（６）式をそれぞれ満たしている。また、｜（ｄｎ／ｄＴ）3｜は（８）式を、
｜（ｄｎ／ｄＴ）5｜は（９）式を何れも満たしていない。
【０１３３】
非球面データ
第１面
k=0,A4=-8.3838E-04,A6=3.2607E-06,A8=2.2447E-07
A10=-3.6947E-09,A12=1.6175E-11
第２面
k=-7.2673E-01,A4=1.2227E-03,A6=-1.0139E-04,A8=1.7585E-05
A10=-1.7393E-06,A12=5.3131E-08
第３面
k=0,A4=8.4256E-04,A6=-1.0556E-04,A8=1.1226E-05
A10=-1.4883E-06,A12=5.4163E-08
第４面
k=0,A4=3.6781E-03,A6=-2.4066E-04,A8=1.8681E-05
A10=-1.2555E-06,A12=4.2501E-08
第６面
k=0,A4=5.1508E-03,A6=-3.7338E-04,A8=1.9616E-05
A10=-4.1381E-07,A12=-1.9392E-08
第７面
k=0,A4=4.2571E-03,A6=-3.6967E-04,A8=2.3435E-05
A10=-4.7810E-07,A12=-2.3381E-08
第８面
k=0,A4=-3.4275E-03,A6=-3.8372E-04,A8=4.9792E-05
A10=-2.8647E-06,A12=5.0934E-08
第９面
k=0,A4=-6.8328E-03,A6=2.5202E-04,A8=-7.5313E-06
A10=-6.1159E-08,A12=1.7371E-09
第１０面
k=0,A4=-1.6865E-03,A6=7.1979E-06,A8=9.7606E-07
A10=4.8534E-09,A12=-9.0040E-10
第１１面
k=0,A4=1.2190E-03,A6=2.0765E-06,A8=3.5668E-06
A10=-1.0991E-07,A12=5.4291E-09
【０１３４】
図１４６から図１４９は、球面収差，非点収差，歪曲収差，色収差を示す。また、図１５０から図１５２は、第８面，第９面，第２面の光軸中心から周辺にかけての曲率の変化を示す。第１３実施形態の特徴は、｜（ｄｎ／ｄＴ）3｜が（８）式を満たしていない点を除いて第９実施形態と同様である。
【０１３５】
（第１４実施形態）
図１５３は、結像光学系１４を示している。第１４実施形態の仕様は、
全焦点距離：4.000mm，Ｆナンバー：1.63，半画角：60°,像高：4.29mm,
バックフォーカス：6.074mm,レンズ全長：26.603mmである。
【０１３６】
次に、第１４実施形態の数値データを示す。
面データ
面番号      曲率半径ｒ    面間隔d    屈折率Nd    アッベ数Vd    有効径
1*          12.160        2.000        1.545        56.003      14.66
2*           2.776        4.602                                  7.68
3*         -11.011        3.409        1.640        23.529      6.83
4*          -6.565        1.295                                  6.55
5（絞り）   Infinity     -0.001 
6*          14.530        2.582        1.545        56.003      6.12
7*          -6.264        1.617                                  6.53
8*          -7.604        0.798        1.661        20.373      6.19
9*           6.275        0.209                                  8.05
10*          8.192        3.882        1.729        54.041      8.89
11*         -5.688        1.000                                  9.17
12          Infinity      0.400        1.517        64.167      9.12
13          Infinity      4.811                                  9.12
【０１３７】
単レンズデータ
｜ｆ１｜／ｆ          1.79
ｆ２／ｆ              4.89
｜ｆ４｜／ｆ          1.27
｜（ｄｎ／ｄＴ）3｜  95.97E-06
｜（ｄｎ／ｄＴ）5｜   2.69E-06
ｄ１２／ｆ            1.15
｜ｆ１｜／ｆは（２）式を、ｆ２／ｆは（４）式を、｜ｆ４｜／ｆは（６）式をそれぞれ満たしている。また、｜（ｄｎ／ｄＴ）3｜は（８）式を満たしていないが、
｜（ｄｎ／ｄＴ）5｜は（１０）式を満たしている。
【０１３８】
非球面データ
第１面
k=0,A4=-7.8538E-04,A6=3.2251E-06,A8=5.1701E-08
A10=-5.9570E-10,A12=1.3686E-12
第２面
k=-7.5991E-01,A4=6.6902E-04,A6=-1.7739E-05,A8=-7.1431E-07
A10=2.7785E-08,A12=-1.2613E-08
第３面
k=0,A4=-2.1448E-04,A6=-9.2040E-05,A8=8.1656E-06
A10=-1.2509E-06,A12=5.6016E-08
第４面
k=0,A4=3.0711E-03,A6=-2.6750E-04,A8=2.5751E-05
A10=-1.7076E-06,A12=6.1230E-08
第６面
k=0,A4=4.4518E-03,A6=-3.3867E-04,A8=2.1018E-05
A10=-5.8729E-07,A12=-3.5338E-08
第７面
k=0,A4=2.1534E-03,A6=-1.5365E-04,A8=-3.1885E-06
A10=1.5403E-06,A12=-1.1264E-07
第８面
k=0,A4=-3.9649E-03,A6=-2.5175E-04,A8=1.7111E-05
A10=-3.0490E-07,A12=-3.7490E-08
第９面
k=0,A4=-5.2181E-03,A6=1.8670E-04,A8=-2.5013E-06
A10=-2.5037E-07,A12=7.6119E-09
第１０面
k=0,A4=-1.6835E-03,A6=3.8022E-05,A8=7.0669E-07
A10=-7.0081E-08,A12=1.4787E-09
第１１面
k=0,A4=6.8691E-04,A6=1.2615E-05,A8=8.9320E-07
A10=3.4675E-08,A12=-5.8098E-11
【０１３９】
図１５４から図１５７は、球面収差，非点収差，歪曲収差，色収差を示す。また、図１５８から図１６０は、第８面，第９面，第２面の光軸中心から周辺にかけての曲率の変化を示す。第１４実施形態の特徴は、第１実施形態と同様である。
【０１４０】
（第１５実施形態）
図１６１は、結像光学系１５を示している。第１５実施形態の仕様は、
全焦点距離：4.013mm，Ｆナンバー：1.59，半画角：60°,像高：4.26mm,
バックフォーカス：6.570mm,レンズ全長：26.638mmである。
【０１４１】
次に、第１５実施形態の数値データを示す。
面データ
面番号      曲率半径ｒ    面間隔d    屈折率Nd    アッベ数Vd    有効径
1*          14.405        1.600        1.545        56.003      11.78
2*           2.973        4.183                                  6.65
3*          -9.378        3.178        1.640        23.529      6.84
4*          -5.914        1.836                                  7.03
5（絞り）   Infinity      0.859
6*          52.577        2.275        1.545        56.003      5.70
7*          -5.025        1.037                                  6.08
8*         -20.531        0.921        1.661        20.373      6.27
9*           5.194        0.263                                  7.41
10*         10.001        3.778        1.729        54.041      8.36
11*         -6.550        1.000                                  8.93
12          Infinity      0.400        1.517        64.167      9.50
13          Infinity      5.306                                  9.50
【０１４２】
単レンズデータ
｜ｆ１｜／ｆ          1.80
ｆ２／ｆ              4.59
｜ｆ４｜／ｆ          1.54
｜（ｄｎ／ｄＴ）3｜  95.97E-06
｜（ｄｎ／ｄＴ）5｜   2.69E-06
ｄ１２／ｆ            1.04
｜ｆ１｜／ｆは（２）式を、ｆ２／ｆは（４）式を、｜ｆ４｜／ｆは（５）式をそれぞれ満たしている。また、｜（ｄｎ／ｄＴ）3｜は（８）式を満たしていないが、
｜（ｄｎ／ｄＴ）5｜は（１０）式を満たしている。
【０１４３】
非球面データ
第１面
k=0,A4=-9.1310E-04,A6=1.5575E-05,A8=-2.1267E-07
A10=1.8413E-09,A12=-4.7115E-12
第２面
k=-5.5612E-01,A4=-5.6946E-04,A6=-5.5500E-05,A8=2.6525E-06
A10=-1.2818E-07,A12=-7.5606E-09
第３面
k=0,A4=-1.5201E-04,A6=-7.0349E-05,A8=9.7179E-06
A10=-1.0208E-06,A12=3.4492E-08
第４面
k=0,A4=1.5636E-03,A6=-8.0716E-05,A8=6.5525E-06
A10=-3.5469E-07,A12=8.5197E-09
第６面
k=0,A4=2.2326E-03,A6=-1.4167E-04,A8=-2.3008E-05
A10=3.1454E-06,A12=-2.3320E-07
第７面
k=0,A4=4.5029E-03,A6=-5.0139E-04,A8=1.8129E-05
A10=5.8683E-07,A12=-9.3296E-08
第８面
k=0,A4=-3.5474E-03,A6=-3.2555E-04,A8=5.4347E-05
A10=-2.0154E-06,A12=2.2175E-09
第９面
k=0,A4=-7.6849E-03,A6=4.1844E-04,A8=-1.2868E-05
A10=3.3632E-07,A12=-1.3435E-08
第１０面
k=0,A4=-5.1940E-04,A6=1.5002E-05,A8=-1.5218E-07
A10=4.7850E-08,A12=-2.0602E-09
第１１面
k=0,A4=7.2079E-04,A6=2.7872E-06,A8=2.2846E-06
A10=-1.9385E-07,A12=5.4784E-09
【０１４４】
図１６２から図１６５は、球面収差，非点収差，歪曲収差，色収差を示す。また、図１６６から図１６８は、第８面，第９面，第２面の光軸中心から周辺にかけての曲率の変化を示す。第１５実施形態の特徴は、第２実施形態と同様である。
【０１４５】
（第１６実施形態）
図１６９は、結像光学系１６を示している。第１６実施形態の仕様は、
全焦点距離：4.000mm，Ｆナンバー：1.62，半画角：60°,像高：4.28mm,
バックフォーカス：5.573mm,レンズ全長：26.601mmである。
【０１４６】
次に、第１６実施形態の数値データを示す。
面データ
面番号      曲率半径ｒ    面間隔d    屈折率Nd    アッベ数Vd    有効径
1*          15.141        1.800        1.545        56.003      12.35
2*           2.728        4.677                                  7.60
3*         -18.714        2.452        1.640        23.529      7.60
4*          -6.716        2.100                                  7.60
5（絞り） Infinity        0.096
6*          25.802        2.397        1.545        56.003      6.46
7*          -5.121        0.806                                  6.46
8*         -14.525        1.400        1.661        20.373      6.27
9*           4.803        0.364                                  7.79
10*          8.551        4.127        1.729        54.041      8.55
11*         -6.250        1.000                                  9.12
12          Infinity      0.400        1.517        64.167      9.50
13          Infinity      5.022                                  9.50
【０１４７】
単レンズデータ
｜ｆ１｜／ｆ          1.94
ｆ２／ｆ             40.00
｜ｆ４｜／ｆ          1.34
｜（ｄｎ／ｄＴ）3｜  95.97E-06
｜（ｄｎ／ｄＴ）5｜   2.69E-06
ｄ１２／ｆ            1.17
｜ｆ１｜／ｆは（２）式を、ｆ２／ｆは（３）式を、｜ｆ４｜／ｆは（６）式をそれぞれ満たしている。また、｜（ｄｎ／ｄＴ）3｜は（８）式を満たしていないが、
｜（ｄｎ／ｄＴ）5｜は（１０）式を満たしている。
【０１４８】
非球面データ
第１面
k=0,A4=-1.3072E-03,A6=2.4054E-05,A8=-2.8995E-07
A10=2.2629E-09,A12=-8.8582E-12
第２面
k=-6.1489E-01,A4=-1.4560E-03,A6=-9.1503E-05,A8=6.6094E-08
A10=-1.3367E-07,A12=-2.5024E-09
第３面
k=0,A4=-3.0391E-04,A6=-1.3450E-04,A8=1.4469E-05
A10=-1.4935E-06,A12=5.6869E-08
第４面
k=0,A4=1.2399E-03,A6=-1.1482E-04,A8=6.8717E-06
A10=-4.2771E-07,A12=1.5630E-08
第６面
k=0,A4=2.8904E-03,A6=-1.3985E-04,A8=-2.0376E-05
A10=3.9556E-06,A12=-2.8834E-07
第７面
k=0,A4=5.4371E-03,A6=-6.7644E-04,A8=4.6280E-05
A10=-1.0829E-06,A12=-7.9675E-08
第８面
k=0,A4=-2.1287E-03,A6=-5.9422E-04,A8=8.3319E-05
A10=-4.7445E-06,A12=6.1969E-08
第９面
k=0,A4=-7.7556E-03,A6=3.8551E-04,A8=-1.2204E-05
A10=3.5204E-08,A12=-4.0171E-10
第１０面
k=0,A4=-1.3624E-03,A6=4.0768E-05,A8=-5.2027E-07
A10=-2.0569E-08,A12=9.5401E-10
第１１面
k=0,A4=8.3463E-04,A6=-7.1186E-06,A8=1.8566E-06
A10=-1.3376E-07,A12=3.6716E-09
【０１４９】
図１７０から図１７３は、球面収差，非点収差，歪曲収差，色収差を示す。また、図１７４から図１７６は、第８面，第９面，第２面の光軸中心から周辺にかけての曲率の変化を示す。第１６実施形態の特徴は、第８実施形態と同様である。
【０１５０】
（その他の実施形態）
絞りＳの位置は、第２レンズＬ２，第３レンズＬ３の間に限らない。
（１）式〜（１０）式については、これらの全てを満たさずとも良く、また、何れか１つ以上を満たしていても良い。
第４レンズの像面以外は、球面形状であっても良い。
全てのレンズを樹脂製又はガラス製としても良いし、各レンズについて樹脂製，ガラス
製の何れかを選択して適宜組み合わせても良い。
【０１５１】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
【符号の説明】
【０１５２】
図面中、Ｌ１は第１レンズ、Ｌ２は第２レンズ、Ｌ３は第３レンズ、Ｌ４は第４レンズ、Ｌ５は第５レンズ、Ｓは絞りである。
【図１】
2020154045.tif 000003
【図２】
2020154045.tif 000004
【図３】
2020154045.tif 000005
【図４】
2020154045.tif 000006
【図５】
2020154045.tif 000007
【図６】
2020154045.tif 000008
【図７】
2020154045.tif 000009
【図８】
2020154045.tif 000010
【図９】
2020154045.tif 000011
【図１０】
2020154045.tif 000012
【図１１】
2020154045.tif 000013
【図１２】
2020154045.tif 000014
【図１３】
2020154045.tif 000015
【図１４】
2020154045.tif 000016
【図１５】
2020154045.tif 000017
【図１６】
2020154045.tif 000018
【図１７】
2020154045.tif 000019
【図１８】
2020154045.tif 000020
【図１９】
2020154045.tif 000021
【図２０】
2020154045.tif 000022
【図２１】
2020154045.tif 000023
【図２２】
2020154045.tif 000024
【図２３】
2020154045.tif 000025
【図２４】
2020154045.tif 000026
【図２５】
2020154045.tif 000027
【図２６】
2020154045.tif 000028
【図２７】
2020154045.tif 000029
【図２８】
2020154045.tif 000030
【図２９】
2020154045.tif 000031
【図３０】
2020154045.tif 000032
【図３１】
2020154045.tif 000033
【図３２】
2020154045.tif 000034
【図３３】
2020154045.tif 000035
【図３４】
2020154045.tif 000036
【図３５】
2020154045.tif 000037
【図３６】
2020154045.tif 000038
【図３７】
2020154045.tif 000039
【図３８】
2020154045.tif 000040
【図３９】
2020154045.tif 000041
【図４０】
2020154045.tif 000042
【図４１】
2020154045.tif 000043
【図４２】
2020154045.tif 000044
【図４３】
2020154045.tif 000045
【図４４】
2020154045.tif 000046
【図４５】
2020154045.tif 000047
【図４６】
2020154045.tif 000048
【図４７】
2020154045.tif 000049
【図４８】
2020154045.tif 000050
【図４９】
2020154045.tif 000051
【図５０】
2020154045.tif 000052
【図５１】
2020154045.tif 000053
【図５２】
2020154045.tif 000054
【図５３】
2020154045.tif 000055
【図５４】
2020154045.tif 000056
【図５５】
2020154045.tif 000057
【図５６】
2020154045.tif 000058
【図５７】
2020154045.tif 000059
【図５８】
2020154045.tif 000060
【図５９】
2020154045.tif 000061
【図６０】
2020154045.tif 000062
【図６１】
2020154045.tif 000063
【図６２】
2020154045.tif 000064
【図６３】
2020154045.tif 000065
【図６４】
2020154045.tif 000066
【図６５】
2020154045.tif 000067
【図６６】
2020154045.tif 000068
【図６７】
2020154045.tif 000069
【図６８】
2020154045.tif 000070
【図６９】
2020154045.tif 000071
【図７０】
2020154045.tif 000072
【図７１】
2020154045.tif 000073
【図７２】
2020154045.tif 000074
【図７３】
2020154045.tif 000075
【図７４】
2020154045.tif 000076
【図７５】
2020154045.tif 000077
【図７６】
2020154045.tif 000078
【図７７】
2020154045.tif 000079
【図７８】
2020154045.tif 000080
【図７９】
2020154045.tif 000081
【図８０】
2020154045.tif 000082
【図８１】
2020154045.tif 000083
【図８２】
2020154045.tif 000084
【図８３】
2020154045.tif 000085
【図８４】
2020154045.tif 000086
【図８５】
2020154045.tif 000087
【図８６】
2020154045.tif 000088
【図８７】
2020154045.tif 000089
【図８８】
2020154045.tif 000090
【図８９】
2020154045.tif 000091
【図９０】
2020154045.tif 000092
【図９１】
2020154045.tif 000093
【図９２】
2020154045.tif 000094
【図９３】
2020154045.tif 000095
【図９４】
2020154045.tif 000096
【図９５】
2020154045.tif 000097
【図９６】
2020154045.tif 000098
【図９７】
2020154045.tif 000099
【図９８】
2020154045.tif 000100
【図９９】
2020154045.tif 000101
【図１００】
2020154045.tif 000102
【図１０１】
2020154045.tif 000103
【図１０２】
2020154045.tif 000104
【図１０３】
2020154045.tif 000105
【図１０４】
2020154045.tif 000106
【図１０５】
2020154045.tif 000107
【図１０６】
2020154045.tif 000108
【図１０７】
2020154045.tif 000109
【図１０８】
2020154045.tif 000110
【図１０９】
2020154045.tif 000111
【図１１０】
2020154045.tif 000112
【図１１１】
2020154045.tif 000113
【図１１２】
2020154045.tif 000114
【図１１３】
2020154045.tif 000115
【図１１４】
2020154045.tif 000116
【図１１５】
2020154045.tif 000117
【図１１６】
2020154045.tif 000118
【図１１７】
2020154045.tif 000119
【図１１８】
2020154045.tif 000120
【図１１９】
2020154045.tif 000121
【図１２０】
2020154045.tif 000122
【図１２１】
2020154045.tif 000123
【図１２２】
2020154045.tif 000124
【図１２３】
2020154045.tif 000125
【図１２４】
2020154045.tif 000126
【図１２５】
2020154045.tif 000127
【図１２６】
2020154045.tif 000128
【図１２７】
2020154045.tif 000129
【図１２８】
2020154045.tif 000130
【図１２９】
2020154045.tif 000131
【図１３０】
2020154045.tif 000132
【図１３１】
2020154045.tif 000133
【図１３２】
2020154045.tif 000134
【図１３３】
2020154045.tif 000135
【図１３４】
2020154045.tif 000136
【図１３５】
2020154045.tif 000137
【図１３６】
2020154045.tif 000138
【図１３７】
2020154045.tif 000139
【図１３８】
2020154045.tif 000140
【図１３９】
2020154045.tif 000141
【図１４０】
2020154045.tif 000142
【図１４１】
2020154045.tif 000143
【図１４２】
2020154045.tif 000144
【図１４３】
2020154045.tif 000145
【図１４４】
2020154045.tif 000146
【図１４５】
2020154045.tif 000147
【図１４６】
2020154045.tif 000148
【図１４７】
2020154045.tif 000149
【図１４８】
2020154045.tif 000150
【図１４９】
2020154045.tif 000151
【図１５０】
2020154045.tif 000152
【図１５１】
2020154045.tif 000153
【図１５２】
2020154045.tif 000154
【図１５３】
2020154045.tif 000155
【図１５４】
2020154045.tif 000156
【図１５５】
2020154045.tif 000157
【図１５６】
2020154045.tif 000158
【図１５７】
2020154045.tif 000159
【図１５８】
2020154045.tif 000160
【図１５９】
2020154045.tif 000161
【図１６０】
2020154045.tif 000162
【図１６１】
2020154045.tif 000163
【図１６２】
2020154045.tif 000164
【図１６３】
2020154045.tif 000165
【図１６４】
2020154045.tif 000166
【図１６５】
2020154045.tif 000167
【図１６６】
2020154045.tif 000168
【図１６７】
2020154045.tif 000169
【図１６８】
2020154045.tif 000170
【図１６９】
2020154045.tif 000171
【図１７０】
2020154045.tif 000172
【図１７１】
2020154045.tif 000173
【図１７２】
2020154045.tif 000174
【図１７３】
2020154045.tif 000175
【図１７４】
2020154045.tif 000176
【図１７５】
2020154045.tif 000177
【図１７６】
2020154045.tif 000178